(57)【特許請求の範囲】
【請求項１】
第１の通信装置と、この第１の通信装置に第１の回線を介して接続された第２の通信装置と、この第２の通信装置に第２の回線を介して接続された第３の通信装置とを備えたデータ転送システムにおいて、
前記第１の通信装置から前記第３の通信装置へのデータ転送方向を上り方向とし、前記第３の通信装置から前記第１の通信装置へのデータ転送方向を下り方向とした場合に、
前記第２の通信装置は、
前記第２の回線の上りチャネルの送信データを監視レベルを用いて監視し、実際のデータ送信状態値を獲得し、また、通信装置の第２の回線の上りチャネルの回路がデジタル信号列、フレーム列、セル列を認識し、実際のデータ送信状態値を獲得し、該上りチャネル回路から該値を獲得する実データ送信状態獲得部と、
前記第２の回線の上りチャネルに輻輳が発生しているか否かを判断する輻輳発生判断部と、
前記輻輳発生判断部の出力結果を基に、前記第２の回線上りチャネルのデータ転送において輻輳を発生させず、高効率にデータを転送できる第１の回線の上りチャネルに対するデータ送信条件を割り出すデータ送信条件割出部と、
前記第１の通信装置に対して、前記データ送信条件値を送信するデータ送信条件送信部と、
を有することを特徴とするデータ転送システム。
【請求項２】
請求項１において、
前記第１の通信装置は、前記第２の通信装置から送信された前記第１の回線の上りチャネルに対するデータ送信条件値を受信するデータ送信条件受信部と、このデータ送信条件受信部が受信したデータ送信条件に従ってデータ送信を可能とするデータ送信部とを有することを特徴とするデータ転送システム。
【請求項３】
請求項２において、前記第２の通信装置のデータ送信条件送信部が、データ送信条件値を保存するデータ送信条件管理表を有することを特徴とするデータ転送システム。
【請求項４】
請求項１から３の何れかにおいて、
前記第２の通信装置の実データ送信状態獲得部が、レイヤ１において電気的同期をとり
、ディジタル信号列を検出し、ディジタル信号列を識別することを特徴とするデータ転送システム。
【請求項５】
請求項１から３の何れかにおいて、
前記第２の通信装置の実データ送信状態獲得部が、フレーム単位のフラグを検出することでフレーム列を検出し、フレーム列を識別することを特徴とするデータ転送システム。
【請求項６】
請求項１から３の何れかにおいて、
前記第２の通信装置の実データ送信状態獲得部が、セル単位のヘッダを検出することでセル列を検出し、セル列を識別することを特徴とするデータ転送システム。
【請求項７】
請求項１から３の何れかにおいて、
前記第２の通信装置は、前記第２の回線の上りチャネルに対する上限のデータ送信条件値と、前記実データ送信状態獲得部により獲得された前記第２の回線の上りチャネルにおける実際の送信条件値を比較し、前記第２の回線の上りチャネルにおいて輻輳が発生しているか否かを判断し、前記上限のデータ送信条件値と前記実際の送信条件値との比較による差分値を求める輻輳発生判断部を有することを特徴とするデータ転送システム。
【請求項８】
請求項７において、
前記第２の通信装置の前記輻輳発生判断部は、式（１）を計算し、
uｄBm−uｄBr＝Ｘ  （１）
式（１）で、Ｘが０または輻輳発生直前までの余裕値である＋ｊの場合には、式（２）を計算し、
（uｄBm＋uｔBm）−（uｄBr＋uｔBr）＝Ｚ  （２）
式（２）で、Ｚが０または輻輳発生直前までの余裕値である＋ｐの場合には輻輳に移行せず、式（１）で、Ｘが−ｋの場合には、式（３）を計算し、（uｄBm＋uｔBm）−（uｄBr＋uｔBr）＝Ｙ（３）
式（３）で、Ｙが０または輻輳発生直前までの余裕値である＋ｍの場合には輻輳に移行せず、式（３）でＹが−ｎの場合、又は式（２）でＺが−ｑの場合には、輻輳に移行することを特徴とするデータ転送システム。
【請求項９】
請求項１〜８の何れかにおいて、
前記第２の通信装置のデータ送信条件割出部が、前記上限のデータ送信条件に比べて安全側に余裕を持たせた安全データ送信条件を、前記上限のデータ送信条件の代わりに用いることを特徴とするデータ転送システム。
【請求項１０】
請求項１〜８の何れかにおいて、
前記第２の通信装置の前記データ送信条件割出部が、前記第１の回線の上りチャネルの送信データが、前記第２の回線の上りチャネルを占有できる場合、前記所定割付基準として、
uｄAi＋uｔAi＝uｄBs＋uｔBs
ただし、
uｄAi：前記第１の回線の上りチャネルに対するデータ送信条件のデータ長時間、
uｔAi：前記第１の回線の上りチャネルに対するデータ送信条件のデータ送信時間間隔、
uｄBs：前記第２の回線の上りチャネルに対するデータ送信条件のデータ長時間、
uｔBs：前記第２の回線の上りチャネルに対するデータ送信条件のデータ送信時間間隔、
の関係を採用することを特徴とするデータ転送システム。
【請求項１１】
請求項１〜８の何れかにおいて、
前記第２の通信装置の前記データ送信条件割出部は、ｎ個の前記第１の回線上りチャネルの送信データが、前記第２の回線の上りチャネルを占有できる場合、前記所定割付基準として、
Σ（uｄAi＋uｔAi）＝uｄBs＋uｔBs
ただし、
uｄAi：第ｉ番目の前記第１の回線の上りチャネルに対するデータ送信条件のデータ長時
間、
uｔAi：第ｉ番目の前記第１の回線の上りチャネルに対するデータ送信条件のデータ送信
時間間隔、
uｄBs：前記第２の回線の上りチャネルに対するデータ送信条件のデータ長時間、
uｔBs：前記第２の回線の上りチャネルに対するデータ送信条件のデータ時間間隔の関係
を採用することを特徴とするデータ転送システム。
【請求項１２】
請求項１１において、
前記uｄAiとuｔAiとの合計値は、（uｄA1＋uｔA1）＝（uｄA2＋uｔA2）＝・・・＝（u
ｄAi＋uｔAi）＝（uｄAn＋uｔAn）
の均等の関係から割り出されていることを特徴とするデータ転送システム。
【請求項１３】
請求項１１において、
前記uｄAiとuｔAiとの合計値は、単位時間に送信するデータビット量の合計値であるΣｄAiに順位関係が現れるように付与することを特徴とするデータ転送システム。
【請求項１４】
請求項１３において、
前記uｄAiとuｔAiとの合計値は、個々の前記第１の通信装置の性能又は運用に基づいて、順位関係を設けることを特徴とするデータ転送システム。
【請求項１５】
請求項１３において、
前記第３の通信装置に第３の回線を介して接続された第４の通信装置とを備え、
前記uｄAiとuｔAiとの合計値は、個々の前記第４の通信装置の性能又は運用に基づいて、順位関係を設けることを特徴とするデータ転送システム。
【請求項１６】
請求項１３において、
前記uｄAiとuｔAiとの合計値は、個々の前記第１の回線の性能又は運用に基づいて、順位関係を設けることを特徴とするデータ転送システム。
【請求項１７】
請求項１３において、
前記第３の通信装置に第３の回線を介して接続された第４の通信装置とを備え、
前記uｄAiとuｔAiとの合計値は、個々の前記第３の回線の性能又は運用に基づいて、順位関係を設けることを特徴とするデータ転送システム。
【請求項１８】
請求項１３において、
前記uｄAiとuｔAiとの合計値は、個々の前記第２の回線の性能又は運用に基づいて、順位関係を付与することを特徴とするデータ転送システム。
【請求項１９】
請求項１３において、
前記uｄAiとuｔAiとの合計値は、個々の前記第１の通信装置のデータ送信時刻に基づいて、順位関係を付与することを特徴とするデータ転送システム。
【請求項２０】
請求項１３において、
前記第３の通信装置に第３の回線を介して接続された第４の通信装置とを備え、
前記uｄAiとuｔAiとの合計値は、個々の前記第４の通信装置のデータ受信時刻に基づいて、順位関係を付与することを特徴とするデータ転送システム。
【請求項２１】
請求項１において、
前記第３の通信装置は、第２の回線の上りチャネル回路が受信データを監視し、実際のデータ送信状態（uｄBr、uｔBr）値を検出し、該回路から該値を獲得する実データ送信状態獲得部を有することを特徴とするデータ転送システム。
【請求項２２】
請求項２０において、
前記第３の通信装置は、実データ送信状態獲得部が獲得した実際のデータ送信状態（uｄBr、uｔBr）を、前記第２の通信装置に送信する実データ送信状態送信部を有することを特徴とするデータ転送システム。
【請求項２３】
請求項７において、
前記第２の通信装置は、前記実データ送信状態獲得部に代えて、前記第３の通信装置の前記実データ送信状態送信部から送信された実データ送信状態（uｄBr、uｔBr）を受信して、前記輻輳発生判断部に出力する実データ送信状態出力部を有することを特徴とするデータ転送システム。
【請求項２４】
請求項７において、
前記第２の通信装置は、前記実データ送信状態獲得部に代えて、外部に設けられた管理システムが監視測定した前記第２の回線の上りチャネルにおける実際の受信状態（uｄBr、uｔBr）を入力して、前記輻輳発生判断部に出力する実データ受信状態出力部を有することを特徴とするデータ転送システム。
【請求項２５】
請求項７において、前記第２の通信装置は、通信装置又は輻輳発生判断部に予め内蔵している上限のデータ送信条件に代えて、外部に設けられた管理システムより、前記第２の回線の上りチャネルに対する上限のデータ送信条件を入力して、前記輻輳発生判断部に出力する上限データ送信条件出力部を有することを特徴とするデータ転送システム。
【請求項２６】
請求項１０から２０の何れかにおいて、
前記第２の通信装置は、前記データ送信条件割出部に代えて、任意の前記第１の回線の上りチャネルに対するデータ送信条件値を外部に設けられた管理システムから受信して前記データ送信条件送信部に送信する第１回線データ送信条件割出部を有することを特徴とするデータ転送システム。
【請求項２７】
請求項１から請求項７の何れかにおいて、
前記第３の通信装置に第３の回線を介して接続された第４の通信装置とを備え、
前記第１の通信装置から前記第４の通信装置へのデータ転送方向を上り方向とし、前記第４の通信装置から前記第１の通信装置へのデータ転送方向を下り方向とした場合に、
前記データ送信条件送信部、前記実データ送信状態獲得部、前記輻輳発生判断部、前記データ送信条件割出部、前記実データ送信状態出力部の機能を、前記第１の回線下りチャネル並びに前記第２の回線上り・下りチャネル及び前記第３の回線上り・下りチャネルへも適用することを特徴とするデータ転送システム。
【請求項２８】
請求項２７において、前記第２の通信装置は、通信上、前記第１の通信装置と同様の役割を果たす通信装置を複数接続し、前記第３の通信装置は、通信上、前記第４の通信装置と同様の機能を果たす通信装置を複数接続し、各々の回線上り・下りチャネルにも適用されることを特徴とするデータ転送システム。
【請求項２９】
請求項２７において、前記第２の通信装置と前記第３の通信装置が呼接続処理を使わず、固定的仮想論理パスによって、前記第１の通信装置と前記第４の通信装置間の上りチャネル及び下りチャネルを予め設定する場合に、前記データ送信条件送信部、前記実データ送信状態獲得部、前記輻輳発生判断部、前記データ送信条件割出部、前記実データ送信状態出力部、前記実データ受信状態出力部、前記一義決定情報出力部、前記上限データ送信条件出力部、前記第１回線データ送信条件割出部の機能は、前記第１の回線の上り・下りチャネル及び前記第２の回線の上り下り・チャネル及び前記第３の回線上り・下りチャネルに適用されることを特徴とするデータ転送システム。
【請求項３０】
請求項１から請求項２９の何れかにおいて、前記第１の回線の上り・下りチャネル、前記第３の回線の上り・下りチャネルあるいは前記第２の回線の上り・下りチャネルの利用を有償とする場合、データ送信条件の値に基づいて、利用金額を付与することを特徴とするデータ転送システム。
【請求項３１】
第１の通信装置と、この第１の通信装置に第１の回線を介して接続された第２の通信装置と、この第２の通信装置に第２の回線を介して接続された第３の通信装置とを備えたデータ転送システムのデータ転送方法において、
前記第１の通信装置から前記第２の通信装置に前記第１の回線を介して連続データが送信されるときに、連続データの先頭ビットから末尾ビットまでの送信時間をデータ長時間ｄAとするとともに、連続データの発生時間間隔をｔAとし、前記第２の通信装置から前記第３の通信装置に前記第２の回線を介して連続データが送信されるときに、連続データの先頭ビットから末尾ビットまでの送信時間をデータ長時間ｄBとするとともに、連続データの発生時間間隔をｔBとした場合に、前記第１の回線のデータ送信条件を、前記第２の回線に対する上限のデータ送信条件に設定することを特徴とするデータ転送方法。
【請求項３２】
第１の通信装置と、この第１の通信装置に第１の回線を介して接続された第２の通信装置と、この第２の通信装置に第２の回線を介して接続された第３の通信装置と、この第３の通信装置に第３の回線を介して接続された第４の通信装置とを備え、前記第１の通信装置から前記第２の通信装置及び前記第３の通信装置を介して前記第４の通信装置にデータ転送するデータ転送システムのデータ転送方法において、前記第１の通信装置と前記第４の通信装置間が通信中に、前記第２の通信装置においてデータ転送に輻輳が発生する場合に、前記第２の通信装置は、前記第１の通信装置に、請求項１から２７のデータ転送システムのいずれかにて設定された前記第１の回線に対するデータ送信条件を送信し、前記第１の通信装置は、前記データ送信条件に基づいて、データを送信する動作を含むことを特徴とするデータ転送方法。
【請求項３３】
第１の通信装置と、この第１の通信装置に第１の回線を介して接続された第２の通信装置と、この第２の通信装置に第２の回線を介して接続された第３の通信装置と、この第３の通信装置に第３の回線を介して接続された第４の通信装置とを備え、前記第１の通信装置から前記第２の通信装置及び前記第３の通信装置を介して前記第４の通信装置にデータ転送するデータ転送システムのデータ転送方法において、前記第１の通信装置と前記第４の通信装置間が通信中に、前記第３の通信装置においてデータ転送に輻輳が発生する場合に、前記第３の通信装置は、前記第１の通信装置に、請求項１から２７のデータ転送システムのいずれかにて設定された前記第１の回線に対するデータ送信条件を送信し、前記第１の通信装置は、前記データ送信条件に基づいて、データを送信する動作を含むことを特徴とするデータ転送方法。
【請求項３４】
第１の通信装置と、この第１の通信装置に第１の回線を介して接続された第２の通信装置と、この第２の通信装置に第２の回線を介して接続された第３の通信装置と、この第３の通信装置に第３の回線を介して接続された第４の通信装置とを備え、前記第４の通信装置から前記第３の通信装置及び前記第２の通信装置を介して前記第１の通信装置にデータ
転送するデータ転送システムのデータ転送方法において、前記第１の通信装置と前記第４の通信装置間が通信中に、前記第３の通信装置においてデータ転送に輻輳が発生する場合に、前記第３の通信装置は、前記第４の通信装置に、前記第３の回線に対するデータ送信条件を送信し、前記第４の通信装置は、請求項１から２７のデータ転送システムのいずれかにて設定された前記データ送信条件に基づいて、データを送信する動作を含むことを特徴とするデータ転送方法。
【請求項３５】
第１の通信装置と、この第１の通信装置に第１の回線を介して接続された第２の通信装置と、この第２の通信装置に第２の回線を介して接続された第３の通信装置と、この第３の通信装置に第３の回線を介して接続された第４の通信装置とを備え、前記第４の通信装置から前記第３の通信装置及び前記第２の通信装置を介して前記第１の通信装置にデータ転送するデータ転送システムのデータ転送方法において、前記第１の通信装置と前記第４の通信装置間が通信中に、前記第２の通信装置においてデータ転送に輻輳が発生する場合に、前記第２の通信装置は、前記第４の通信装置に、請求項１から２７のデータ転送システムのいずれかにて設定された前記第３の回線に対するデータ送信条件を送信し、前記第４の通信装置は、前記データ送信条件に基づいて、データを送信する動作を含むことを特徴とするデータ転送方法。
【請求項３６】
第１の通信装置と、この第１の通信装置に第１の回線を介して接続された第２の通信装置と、この第２の通信装置に第３の回線を介して接続された第４の通信装置とを備え、前記第１の通信装置から前記第２の通信装置を介して前記第４の通信装置にデータ転送されるデータ転送システムのデータ転送方法において、前記第１の通信装置と前記第４の通信装置間が通信中に、前記第２の通信装置においてデータ転送に輻輳が発生する場合に、前記第２の通信装置は、前記第１の通信装置に、請求項１から２７のデータ転送システムのいずれかにて設定された前記第１の回線に対するデータ送信条件を送信し、前記第１の通信装置は、前記データ送信条件に基づいて、データを送信する動作を含むことを特徴とするデータ転送方法。
【請求項３７】
第１の通信装置と、この第１の通信装置に第１の回線を介して接続された第２の通信装置と、この第２の通信装置に第３の回線を介して接続された第４の通信装置とを備え、前記第４の通信装置から前記第２の通信装置を介して前記第１の通信装置にデータ転送されるデータ転送システムのデータ転送方法において、前記第１の通信装置と前記第４の通信装置間が通信中に、前記第２の通信装置においてデータ転送に輻輳が発生する場合に、前記第２の通信装置は、前記第４の通信装置に、請求項１から請求項２７のデータ転送システムのいずれかにて設定された前記第３の回線に対するデータ送信条件を送信し、前記第４の通信装置は、前記データ送信条件に基づいて、データを送信する動作を含むことを特徴とするデータ転送方法。
【請求項３８】
請求項３７において、前記第２の通信装置は、前記第２の通信装置においてデータ転送に輻輳が発生していない場合でも、前記第１の通信装置に、前記データ転送システムにて設定された前記データ送信条件を送信することを特徴とするデータ転送方法。
【請求項３９】
請求項３８において、前記第３の通信装置は、前記第３の通信装置においてデータ転送に輻輳が発生していない場合でも、前記第１の通信装置に、前記データ転送システムにて設定された前記データ送信条件を送信することを特徴とするデータ転送方法。
【請求項４０】
請求項３９において、前記第３の通信装置は、前記第３の通信装置においてデータ転送に輻輳が発生していない場合でも、前記第４の通信装置に、請求項１から２７のデータ転送システムのいずれかにて設定された前記データ送信条件を送信することを特徴とするデータ転送方法。
【請求項４１】
請求項４０において、前記第２の通信装置は、前記第２の通信装置においてデータ転送に輻輳が発生していない場合でも、前記第４の通信装置に、請求項１から２７のデータ転送システムのいずれかにて設定された前記データ送信条件を送信することを特徴とするデータ転送方法。
【請求項４２】
請求項４１において、前記第２の通信装置は、前記第２の通信装置においてデータ転送に輻輳が発生していない場合でも、前記第１の通信装置に、請求項１から２７のデータ転送システムのいずれかにて設定された前記データ送信条件を送信することを特徴とするデータ転送方法。
【請求項４３】
請求項４２において、前記第２の通信装置は、前記第２の通信装置においてデータ転送に輻輳が発生していない場合でも、前記第４の通信装置に、請求項１から２７のデータ転送システムのいずれかにて設定された前記データ送信条件を送信することを特徴とするデータ転送方法。
【発明の詳細な説明】
【０００１】
【産業上の利用分野】
本発明は、データ転送システム及びデータ転送方法に関し、特に、ＡＴＭ網、フレームリレー網、回線交換網、専用線網等のディジタルネットワークにおいて、回線に輻輳を発生させずに、なおかつ高効率にデータ転送可能なデータ転送システム及びデータ転送方法に関する。
【０００２】
【従来の技術】
近年、通信情報発生源である端末は、データ、画像、音声の通信を集中させたり、離散させたり等、多様に扱える能力を持ちつつある。即ち、ディジタルネットワークにおけるマルチメディアの通信トラフィックは、連続データ、高密度のバーストデータ、低密度のバーストデータなど、様々なデータ送信形態が混在したものとなる。
【０００３】
このような送信形態に対応する為、ディジタルネットワークにおける通信方法として、例えば、下記の（イ）〜（ホ）に示すようないくつものデータ転送方式が提供されつつある（図３８参照）。
（イ）専用線網におけるビット列転送。
（ロ）回線交換網（ＩＳＤＮを含む）におけるビット列転送
（ハ）パケット交換網におけるパケット多重転送（蓄積交換）
（ニ）フレームリレー網におけるフレーム多重転送
（ホ）ＡＴＭ網におけるセル多重転送
なお、以下の説明及び図２１以降において端末装置と書かれているのは、ホストコンピュータ、ワークステーション、パーソナルコンピュータ、ＣＳＭＡ／ＣＤ方式のローカルエリアネットワーク（ＬＡＮ）、トークンリング方式のＬＡＮ等を意味する。
【０００４】
前記（イ）〜（ホ）のいずれのデータ転送方式でも、平常状態は当然のこと、異常トラフィック状態においても、その通信情報を高効率に、経済的に転送することが強く要求されている。
【０００５】
ところで、異常トラフィックによる輻輳発生を回避したり、輻輳発生後に輻輳を速やかに解除するため、通信装置や端末装置は、下記の（１）や（２）の処理を行っている。
（１）輻輳発生の回避処理
（ａ）  データを受信する端末装置や通信装置（以下、受信装置という）は、輻輳回避のため、統計的なピーク又は平均のトラフィック値を使用条件規格として利用者側に提示する。
【０００６】
データを送信する端末装置や通信装置（以下、送信装置という）は、利用者によって、使用条件規格の範囲内で稼働するよう設定される。
通常、このような使用条件を互いに守ることにより、輻輳発生が回避される。
【０００７】
（ｂ）  受信装置は、データ受信メモリ量に余裕を持たせることにより、瞬間的に使用条件を越えるトラフィックが入力した場合でも、輻輳が発生しないようにする。なお、受信装置は、瞬間的なトラヒック増を許容するため、このような性能を持っているのが通常である。
（２）輻輳発生後の輻輳解除処理
（ａ）  輻輳発生を自己装置内で検出した受信装置は、送信装置に対して、  「輻輳が発生していることを単に認識させる情報（以下「輻輳通知」という）を送信する。
【０００８】
この従来方法は、輻輳通知で輻輳が発生したことを送信側に伝えるが、輻輳状態の解除のために、送信データ量をどのように減らせとの具体的条件は無い。減らし方は、送信側に一任されている。
【０００９】
（ｂ）  輻輳通知を受信した送信装置は、下記の１）〜３）の処理を行う。
１）データの送信を止める。
２）送信データ量を独自の判断で減らす。
【００１０】
３）データ送信量は抑制せず、受信装置でのデータ廃棄に対しては、データを再送する。
【００１１】
【発明が解決しようとする課題】
このように、従来技術においては、輻輳を解除するための具体的条件（例えば、送信データを段階的に減らす等）が受信装置から送信装置に渡されないため、下記に示す第１及び第２の問題が生じる恐れがある。
【００１２】
第１の問題は、送信装置は、データ送信を止めたり、送信データを段階的に減らす等の処理を輻輳解除が通知されるまで繰り返すことがあるという問題である。即ち、データ転送にとっては輻輳状態が継続し、送信装置にとっては処理上の無駄が発生するという問題である。
【００１３】
第２の問題は、複数の送信装置が送信データを一斉に止めれば輻輳は解除されるが、受信装置が輻輳解除を通知し、送信装置が一斉にデータ送信を開始すると再度輻輳が発生するという問題である。
【００１４】
本発明は、このような事情に鑑みてなされたもので、受信装置と送信装置間のデータ転送において、輻輳を発生させずに、なおかつ、高効率に回線を使用することができるデータ転送方法及びデータ転送システムを提供することを第１の課題とする。
【００１５】
更に、本発明は、受信装置と送信装置間のデータ転送において、輻輳が発生しても、かかる輻輳を論理的に解除することができるデータ転送方法及びデータ転送システムを提供することを第２の課題とする。
【００１６】
【課題を解決するための手段】
＜本発明の第１のデータ転送システム＞
本発明の第１のデータ転送システムは、前述した第１及び第２の課題を解決するため、下記の如く構成されている。図１は、本発明の原理説明図である。
【００１７】
即ち、第１の通信装置（１０）と、この第１の通信装置（１０）に第１の回線（Ａ）を介して接続された第２の通信装置（２０）と、この第２の通信装置（２０）に第２の回線（Ｂ）を介して接続された第３の通信装置（３０）と、この第３の通信装置（３０）に第３の回線（Ｃ）を介して接続された第４の通信装置（４０）とを備えたデータ転送システムにおいて、前記第１の通信装置（１０）から前記第４の通信装置（４０）へのデータ転送方向を上り方向とし、前記第４の通信装置（４０）から前記第１の通信装置（１０）へのデータ転送方向を下り方向とした場合に、前記第１の通信装置（１０）は、前記第２の通信装置（２０）から送信された前記第１の回線（Ａ）の上りチャネルに対するデータ送信条件（uｄA、uｔA）値を受信するデータ送信条件受信部（１１）と、このデータ送信条件受信部（１１）が受信したデータ送信条件（uｄA、uｔA）に従ってデータ送信を可能とするデータ送信部（１２）とを有することを特徴とする。
【００１８】
なお、本発明における通信装置とは、データ端末装置（ＤＴＥ；Ｄａｔａ  Ｔｅｒｍｉｎａｌ  Ｅｑｕｉｐｍｅｎｔ）や通信制御装置（Ｃｏｍｍｕｎｉｃａｔｉｏｎ  Ｃｏｎｔｏｌ  Ｕｎｉｔ）等を意味し、以下に述べる第２から第３８のデータ転送システム、及び第１から第１６のデータ転送方法においても同様とする。
また、本発明、以下に述べる第２から第３８のデータ転送システム、及び第１から第１６のデータ転送方法において、データ送信条件（ｄ、ｔ）には、必要に応じ下記の１）から９）の以下の添字を付けて表記する。
【００１９】
１）上限（ｍａｘ）  を意味するとき（ｄ、ｔ）→（ｄｍ、ｔｍ）
２）上り（ｕｐ）チャネルを意味するとき（ｄ、ｔ）→（ｕｄ、ｕｔ）
３）下り（ｄｏｗｎ）チャネルを意味するとき（ｄ、ｔ）→（ｄｄ、ｄｔ）
４）実際の場合を意味するとき（ｄ、ｔ）→（ｄｒ、ｔｒ）
５）上限の送信データより小さい送信データの場合を意味するとき（ｄ、ｔ）→（ｄＳ、ｔＳ）
６）回線Ａに対する場合を意味するとき（ｄ、ｔ）→（ｄＡ、ｔＡ）
７）回線Ｂに対する場合を意味するとき（ｄ、ｔ）→（ｄＢ、ｔＢ）
８）回線Ｃに対する場合を意味するとき（ｄ、ｔ）→（ｄＣ、ｔＣ）
９）例えば、任意の回線Ａに対する場合を意味するとき（ｄ、ｔ）→（ｄＡｉ、ｔＡｉ）
なお、１）〜９）の添字は、必要に応じ複数個付けることができる。例えば、回線Ａの上りチャネルに対する上限のデータ送信条件の表記は、（ｕｄＡｍ、ｕｔＡｍ）となる。
【００２０】
＜本発明の第２のデータ転送システム＞
本発明の第２のデータ転送システムは、前述した第１及び第２の課題を解決するため、下記の如く構成されている。図２は、本発明の原理説明図である。
【００２１】
即ち、第１の通信装置と、この第１の通信装置に第１の回線を介して接続された第２の通信装置と、この第２の通信装置に第２の回線を介して接続された第３の通信装置とを備えたデータ転送システムにおいて、
前記第１の通信装置から前記第３の通信装置へのデータ転送方向を上り方向とし、前記第３の通信装置から前記第１の通信装置へのデータ転送方向を下り方向とした場合に、
前記第２の通信装置は、
前記第２の回線の上りチャネルに輻輳が発生しているか否かを判断する輻輳発生判断部と、
前記輻輳発生判断部の出力結果を基に、前記第２の回線上りチャネルのデータ転送において輻輳を発生させず、高効率にデータを転送できる第１の回線の上りチャネルに対するデータ送信条件を割り出すデータ送信条件割出部と、
前記第１の通信装置に対して、前記データ送信条件値を送信するデータ送信条件送信部と、
を有することを特徴とする。
【００２２】
＜本発明の第３のデータ転送システム＞
本発明の第３のデータ転送システムは、前述した第１及び第２の課題を解決するため、下記の如く構成されている。
【００２３】
即ち、第２のデータ転送システムにおいて、前記第２の通信装置（２０）のデータ送信条件送信部（１）が、データ送信条件（uｄA、uｔA）値を保存するデータ送信条件管理表を有することを特徴とする。
【００２４】
＜本発明の第４のデータ転送システム＞
本発明の第４のデータ転送システムは、前述した第１及び第２の課題を解決するため、下記の如く構成されている。図３は、本発明の原理説明図である。
【００２５】
即ち、第１の通信装置（１０）と、この第１の通信装置（１０）に第１の回線（Ａ）を介して接続された第２の通信装置（２０）と、この第２の通信装置（２０）に第２の回線（Ｂ）を介して接続された第３の通信装置（３０）と、この第３の通信装置（３０）に第３の回線（Ｃ）を介して接続された第４の通信装置（４０）とを備えたデータ転送システムにおいて、前記第１の通信装置（１０）から前記第４の通信装置（４０）へのデータ転送方向を上り方向とし、前記第４の通信装置（４０）から前記第１の通信装置（１０）へのデータ転送方向を下り方向とした場合に、前記第２の通信装置（２０）は、前記第２の回線（Ｂ）の上りチャネルの送信データを監視レベルを用いて監視し、実際のデータ送信状態（uｄBr、uｔBr）値を獲得し、また、通信装置の第２の回線（Ｂ）の上りチャネルの回路がデジタル信号列、フレーム列、セル列を認識し、実際のデータ送信状態（uｄBr、uｔBr）値を獲得し、該上りチャネル回路から該値を獲得する実データ送信状態獲得部（２）を有することを特徴とする。
【００２６】
＜本発明の第５のデータ転送システム＞
本発明の第５のデータ転送システムは、前述した第１及び第２の課題を解決するため、下記の如く構成されている。
【００２７】
即ち、第４のデータ転送システムにおいて、前記第２の通信装置（２０）の実データ送信状態獲得部（２）が、レイヤ１において電気的同期をとり、ディジタル信号列を検出し、ディジタル信号列を識別することを特徴とする。
【００２８】
＜本発明の第６のデータ転送システム＞
本発明の第６のデータ転送システムは、前述した第１及び第２の課題を解決するため、下記の如く構成されている。
【００２９】
即ち、第４のデータ転送システムにおいて、前記第２の通信装置（２０）の実データ送信状態獲得部（２）が、フレーム単位のフラグを検出することでフレーム列を検出し、フレーム列を識別することを特徴とする。
【００３０】
＜本発明の第７のデータ転送システム＞
本発明の第７のデータ転送システムは、前述した第１及び第２の課題を解決するため、下記の如く構成されている。
【００３１】
即ち、第４のデータ転送システムにおいて、前記第２の通信装置（２０）の実データ送信状態獲得部（２）が、セル単位のヘッダを検出することでセル列を検出し、セル列を識別することを特徴とする。
【００３２】
＜本発明の第８のデータ転送システム＞
本発明の第８のデータ転送システムは、前述した第１及び第２の課題を解決するため、下記の如く構成されている。図４は、本発明の原理説明図である。
【００３３】
即ち、第４のデータ転送システムにおいて、前記第２の通信装置（２０）は、通信装置又は輻輳発生判断部（３）に予め内蔵している前記第２の回線（Ｂ）の上りチャネルに対する上限のデータ送信条件（uｄBm、uｔBm）値と、前記実データ送信状態獲得部（２）により獲得された前記第２の回線（Ｂ）の上りチャネルにおける実際の送信条件（uｄBr、uｔBr）値を比較し、前記第２の回線（Ｂ）の上りチャネルにおいて輻輳が発生しているか否かを判断し、前記上限のデータ送信条件（uｄBm、uｔBm）値と前記実際の送信条件（uｄBr、uｔBr）値との比較による差分値を求める輻輳発生判断部（３）を有することを特徴とする。
【００３４】
＜本発明の第９のデータ転送システム＞
本発明の第９のデータ転送システムは、前述した第１及び第２の課題を解決するため、下記の如く構成されている。
【００３５】
即ち、第８のデータ転送システムにおいて、前記第２の通信装置（２０）の前記輻輳発生判断部（３）は、式（１）を計算し、 uｄBm−uｄBr＝Ｘ （１）
式（１）で、Ｘが０または輻輳発生直前までの余裕値である＋ｊの場合には、式（２）を計算し、 （uｄBm＋uｔBm）−（uｄBr＋uｔBr）＝Ｚ （２）
式（２）で、Ｚが０または輻輳発生直前までの余裕値である＋ｐの場合には輻輳に移行せず、式（１）で、Ｘが−ｋの場合には、式（３）を計算し、 （uｄBm＋uｔBm）−（uｄBr＋uｔBr）＝Ｙ （３）
式（３）で、Ｙが０または輻輳発生直前までの余裕値である＋ｍの場合には輻輳に移行せず、式（３）でＹが−ｎの場合、又は式（２）でＺが−ｑの場合には、輻輳に移行することを特徴とする。
【００３６】
＜本発明の第１０のデータ転送システム＞
本発明の第１０のデータ転送システムは、前述した第１及び第２の課題を解決するため、下記の如く構成されている。図５は、本発明の原理説明図である。
【００３７】
即ち、第８のデータ転送システムにおいて、前記第２の通信装置（２０）は、前記輻輳発生判断部（３）の出力結果を基に、所定の割付基準を用いて、前記第２の回線（Ｂ）上りチャネルのデータ転送において輻輳を発生させず、高効率にデータを転送できる個々の第１の回線（Ａ）の上りチャネルに対するデータ送信条件（ｄA、ｔA）を割り出し、かつ、その値を前記データ送信条件送信部（１）に送信するデータ送信条件割出部（４）を有することを特徴とする。
【００３８】
＜本発明の第１１のデータ転送システム＞
本発明の第１１のデータ転送システムは、前述した第１及び第２の課題を解決するため、下記の如く構成されている。
【００３９】
即ち、第１０のデータ転送システムにおいて、前記第２の通信装置（２０）のデータ送信条件割出部（４）が、前記上限のデータ送信条件（uｄAm、uｔAm）に比べて安全側に余裕を持たせた安全データ送信条件（uｄBs、uｔBs）を、前記上限のデータ送信条件（uｄAm、uｔAm）の代わりに用いることを特徴とする。
【００４０】
＜本発明の第１２のデータ転送システム＞
本発明の第１２のデータ転送システムは、前述した第１及び第２の課題を解決するため、下記の如く構成されている。
【００４１】
即ち、第１０のデータ転送システムにおいて、前記第２の通信装置（２０）の前記データ送信条件割出部（４）が、前記第１の回線（Ａ）の上りチャネルの送信データが、前記第２の回線（Ｂ）の上りチャネルを占有できる場合、前記所定割付基準として、uｄAi＋uｔAi＝uｄBs＋uｔBsただし、uｄAi ：前記第１の回線（Ａ）の上りチャネルに対するデータ送信条件のデータ長時間、uｔAi ：前記第１の回線（Ａ）の上りチャネルに対するデータ送信条件のデータ送信時間間隔、uｄBs：前記第２の回線（Ｂ）の上りチャネルに対するデータ送信条件のデータ長時間、uｔBs ：前記第２の回線（Ｂ）の上りチャネルに対するデータ送信条件のデータ送信時間間隔、の関係を採用することを特徴とする。
【００４２】
＜本発明の第１３のデータ転送システム＞
本発明の第１３のデータ転送システムは、前述した第１及び第２の課題を解決するため、下記の如く構成されている。
【００４３】
即ち、第１０のデータ転送システムにおいて、前記第２の通信装置（２０）の前記データ送信条件割出部（４）は、ｎ個の前記第１の回線（Ａ）上りチャネルの送信データが、前記第２の回線（Ｂ）の上りチャネルを占有できる場合、前記所定割付基準として、Σ（uｄAi＋uｔAi）＝uｄBs＋uｔBsただし、uｄAi：第ｉ番目の前記第１の回線（Ａ）の上りチャネルに対するデータ送信条件のデータ長時間、uｔAi ：第ｉ番目の前記第１の回線（Ａ）の上りチャネルに対するデータ送信条件のデータ送信時間間隔、uｄBs：前記第２の回線（Ｂ）の上りチャネルに対するデータ送信条件のデータ長時間、uｔBs ：前記第２の回線（Ｂ）の上りチャネルに対するデータ送信条件のデータ時間間隔の関係を採用することを特徴とする。
【００４４】
＜本発明の第１４のデータ転送システム＞
本発明の第１４のデータ転送システムは、前述した第１及び第２の課題を解決するため、下記の如く構成されている。
【００４５】
即ち、第１３のデータ転送システムにおいて、前記uｄAiとuｔAiとの合計値は、（uｄA1＋uｔA1）＝（uｄA2＋uｔA2）＝・・・＝（uｄAi＋uｔAi）＝（uｄAn＋uｔAn）
の均等の関係から割り出されていることを特徴とする。
【００４６】
＜本発明の第１５のデータ転送システム＞
本発明の第１５のデータ転送システムは、前述した第１及び第２の課題を解決するため、下記の如く構成されている。
【００４７】
即ち、第１３のデータ転送システムにおいて、前記uｄAiとuｔAiとの合計値が、単位時間に送信するデータビット量の合計値であるΣｄAiに順位関係が現れるように付与することを特徴とする。
【００４８】
＜本発明の第１６のデータ転送システム＞
本発明の第１６のデータ転送システムは、前述した第１及び第２の課題を解決するため、下記の如く構成されている。
【００４９】
即ち、第１５のデータ転送システムにおいて、前記uｄAiとuｔAiとの合計値が、個々の前記第１の通信装置（１０）の性能に基づいて、順位関係を設けることを特徴とする。
【００５０】
ここで、「性能に基づいて」とは、１）通信装置の送受信に係わるデータバッファ量の大小や、２）データの送信・受信能力の大小（早くバッファを空にできるかということ）を意味する。
【００５１】
＜本発明の第１７のデータ転送システム＞
本発明の第１７のデータ転送システムは、前述した第１及び第２の課題を解決するため、下記の如く構成されている。
【００５２】
即ち、第１５のデータ転送システムにおいて、前記uｄAiとuｔAiとの合計値が、個々の前記第１の通信装置（１０）の運用に基づいて、順位関係を設けることを特徴とする。
【００５３】
ここで、「運用に基づいて」とは、通信装置間に設けられたプライオリティの高さを意味し、プライオリティの高い通信装置ほど、迅速に情報転送を完了させたい情報を扱う。
【００５４】
＜本発明の第１８のデータ転送システム＞
本発明の第１８のデータ転送システムは、前述した第１及び第２の課題を解決するため、下記の如く構成されている。
【００５５】
即ち、第１５のデータ転送システムにおいて、前記uｄAiとuｔAiとの合計値が、個々の前記第４の通信装置（４０）の性能に基づいて、順位関係を設けることを特徴とする。
【００５６】
ここで、「性能に基づいて」とは、１）通信装置の送受信に係わるデータバッファ量の大小や、２）データの送信・受信能力の大小（早くバッファを空にできるかということ）を意味する。
【００５７】
＜本発明の第１９のデータ転送システム＞
本発明の第１９のデータ転送システムは、前述した第１及び第２の課題を解決するため、下記の如く構成されている。
【００５８】
即ち、第１５のデータ転送システムにおいて、前記uｄAiとuｔAiとの合計値が、個々の前記第４の通信装置（４０）の運用に基づいて、順位関係を設けることを特徴とする。
【００５９】
ここで、「運用に基づいて」とは、通信装置間に設けられたプライオリティの高さを意味し、プライオリティの高い通信装置ほど、迅速に情報転送を完了させたい情報を扱う。
【００６０】
＜本発明の第２０のデータ転送システム＞
本発明の第２０のデータ転送システムは、前述した第１及び第２の課題を解決するため、下記の如く構成されている。
【００６１】
即ち、第１５のデータ転送システムにおいて、前記uｄAiとuｔAiとの合計値が、個々の前記第１の回線（Ａ）の性能に基づいて、順位関係を設けることを特徴とする。
【００６２】
ここで、「性能に基づいて」とは、１）回線速度の大小、２）回線伝搬遅延時間の大小、３）回線ビットエラーの大小等を意味する。
＜本発明の第２１のデータ転送システム＞
本発明の第２１のデータ転送システムは、前述した第１及び第２の課題を解決するため、下記の如く構成されている。
【００６３】
即ち、第１５のデータ転送システムにおいて、前記uｄAiとuｔAiとの合計値が、個々の前記第１の回線（Ａ）の運用に基づいて、順位関係を設けることを特徴とする。
【００６４】
ここで、「運用に基づいて」とは、回線間に設けられたプライオリティの高さを意味し、プライオリティの高い回線ほど、迅速に情報転送を完了させたい情報を扱う。
【００６５】
＜本発明の第２２のデータ転送システム＞
本発明の第２２のデータ転送システムは、前述した第１及び第２の課題を解決するため、下記の如く構成されている。
【００６６】
即ち、第１５のデータ転送システムにおいて、前記uｄAiとuｔAiとの合計値が、個々の前記第３の回線（Ｃ）の性能に基づいて、順位関係を設けることを特徴とする。
【００６７】
ここで、「性能に基づいて」とは、１）回線速度の大小、２）回線伝搬遅延時間の大小、３）回線ビットエラーの大小等を意味する。
＜本発明の第２３のデータ転送システム＞
本発明の第２３のデータ転送システムは、前述した第１及び第２の課題を解決するため、下記の如く構成されている。
【００６８】
即ち、第１５のデータ転送システムにおいて、前記uｄAiとuｔAiとの合計値が、個々の前記第３の回線（Ｃ）の運用に基づいて、順位関係を設けることを特徴とする。
【００６９】
ここで、「運用に基づいて」とは、回線間に設けられたプライオリティの高さを意味し、プライオリティの高い回線ほど、迅速に情報転送を完了させたい情報を扱う。
【００７０】
＜本発明の第２４のデータ転送システム＞
本発明の第２４のデータ転送システムは、前述した第１及び第２の課題を解決するため、下記の如く構成されている。
【００７１】
即ち、第１５のデータ転送システムにおいて、前記uｄAiとuｔAiとの合計値が、個々の前記第２の回線（Ｂ）の性能に基づいて、順位関係を付与することを特徴とする。
【００７２】
ここで、「性能に基づいて」とは、１）回線速度の大小、２）回線伝搬遅延時間の大小、３）回線ビットエラーの大小等を意味する。
＜本発明の第２５のデータ転送システム＞
本発明の第２５のデータ転送システムは、前述した第１及び第２の課題を解決するため、下記の如く構成されている。
【００７３】
即ち、第１５のデータ転送システムにおいて、前記uｄAiとuｔAiとの合計値が、個々の前記第２の回線（Ｂ）の運用に基づいて、順位関係を付与することを特徴とする。
【００７４】
ここで、「運用に基づいて」とは、回線間に設けられたプライオリティの高さを意味し、プライオリティの高い回線ほど、迅速に情報転送を完了させたい情報を扱う。
【００７５】
＜本発明の第２６のデータ転送システム＞
本発明の第２６のデータ転送システムは、前述した第１及び第２の課題を解決するため、下記の如く構成されている。
【００７６】
即ち、第１５のデータ転送システムにおいて、前記uｄAiとuｔAiとの合計値が、個々の前記第１の通信装置（１０）のデータ送信時刻に基づいて、順位関係を付与することを特徴とする。
【００７７】
＜本発明の第２７のデータ転送システム＞
本発明の第２７のデータ転送システムは、前述した第１及び第２の課題を解決するため、下記の如く構成されている。
【００７８】
即ち、第１５のデータ転送システムにおいて、前記uｄAiとuｔAiとの合計値が、個々の前記第４の通信装置（４０）のデータ受信時刻に基づいて、順位関係を付与することを特徴とする。
【００７９】
＜本発明の第２８のデータ転送システム＞
本発明の第２８のデータ転送システムは、前述した第１及び第２の課題を解決するため、下記の如く構成されている。図６は、本発明の原理説明図である。
【００８０】
即ち、第１の通信装置（１０）と、この第１の通信装置（１０）に第１の回線（Ａ）を介して接続された第２の通信装置（２０）と、この第２の通信装置（２０）に第２の回線（Ｂ）を介して接続された第３の通信装置（３０）と、この第３の通信装置（３０）に第３の回線（Ｃ）を介して接続された第４の通信装置（４０）とを備えたデータ転送システムにおいて、前記第１の通信装置（１０）から前記第４の通信装置（４０）へのデータ転送方向を上り方向とし、前記第４の通信装置（４０）から前記第１の通信装置（１０）へのデータ転送方向を下り方向とした場合に、前記第３の通信装置（３０）は、第２の回線（Ｂ）の上りチャネル回路が受信データを監視し、実際のデータ送信状態（uｄBr、uｔBr）値を検出し、該回路から該値を獲得する実データ送信状態獲得部（２１）を有することを特徴とする。
【００８１】
＜本発明の第２９のデータ転送システム＞
本発明の第２９のデータ転送システムは、前述した第１及び第２の課題を解決するため、下記の如く構成されている。
【００８２】
即ち、第２８のデータ転送システムにおいて、前記第３の通信装置（３０）が、実データ送信状態獲得部（２１）が獲得した実際のデータ送信状態（uｄBr、uｔBr）を、前記第２の通信装置（２０）に送信する実データ送信状態送信部（２２）を有することを特徴とする。
【００８３】
＜本発明の第３０のデータ転送システム＞
本発明の第３０のデータ転送システムは、前述した第１及び第２の課題を解決するため、下記の如く構成されている。
【００８４】
即ち、第８のデータ転送システムにおいて、前記第２の通信装置（２０）が、前記実データ送信状態獲得部（２）に代えて、前記第３の通信装置（３０）の前記実データ送信状態送信部（２２）から送信された実データ送信状態（uｄBr、uｔBr）を受信して、前記輻輳発生判断部（３）に出力する実データ送信状態出力部（５）を有することを特徴とする。
【００８５】
＜本発明の第３１のデータ転送システム＞
本発明の第３１のデータ転送システムは、前述した第１及び第２の課題を解決するため、下記の如く構成されている。図６は、本発明の原理説明図である。
【００８６】
即ち、第８のデータ転送システムにおいて、前記第２の通信装置（２０）が、前記実データ送信状態獲得部（２）に代えて、外部に設けられた管理システムが監視測定した前記第２の回線（Ｂ）の上りチャネルにおける実際の受信状態（uｄBr、uｔBr）を入力して、前記輻輳発生判断部（３）に出力する実データ受信状態出力部（５ａ）を有することを特徴とする。
【００８７】
＜本発明の第３２のデータ転送システム＞
本発明の第３２のデータ転送システムは、前述した第１及び第２の課題を解決するため、下記の如く構成されている。図７は、本発明の原理説明図である。
【００８８】
即ち、第１の通信装置と、この第１の通信装置に第１の回線を介して接続された第２の通信装置と、この第２の通信装置に第２の回線を介して接続された第３の通信装置とを備えたデータ転送システムにおいて、
前記第１の通信装置から前記第３の通信装置へのデータ転送方向を上り方向とし、前記第３の通信装置から前記第１の通信装置へのデータ転送方向を下り方向とした場合に、
前記第２の通信装置は、外部に設けられた管理システムが一義的に決定した、前記第２の回線の上りチャネルに輻輳が発生しているか否かの情報を外部の管理システムから受信し、前記情報を基に、前記第２の回線上りチャネルのデータ転送において輻輳を発生させず、高効率にデータを転送できる個々の第１の回線の上りチャネルに対するデータ送信条件を割り出すデータ送信条件割出部に前記情報を出力する一義決定情報出力部を有することを特徴とする。
【００８９】
＜本発明の第３３のデータ転送システム＞
本発明の第３３のデータ転送システムは、前述した第１及び第２の課題を解決するため、下記の如く構成されている。図８は、本発明の原理説明図である。
【００９０】
即ち、第８のデータ転送システムにおいて、前記第２の通信装置（２０）が、通信装置又は輻輳発生判断部（３）に予め内蔵している上限のデータ送信条件に代えて、「外部に設けられた管理システムより、前記第２の回線（Ｂ）の上りチャネルに対する上限のデータ送信条件（uｄBm、uｔBm）を入力して、前記輻輳発生判断部（３）に出力する」上限データ送信条件出力部（７）を有することを特徴とする。
【００９１】
＜本発明の第３４のデータ転送システム＞
本発明の第３４のデータ転送システムは、前述した第１及び第２の課題を解決するため、下記の如く構成されている。図９は、本発明の原理説明図である。
【００９２】
即ち、第１０のデータ転送システムにおいて、前記第２の通信装置（２０）は、前記データ送信条件割出部（４）に代えて、「第１２から第２７のデータ転送システムにおける所定割付基準に基づいて、任意の前記第１の回線（Ａ）の上りチャネルに対するデータ送信条件（uｄA、uｔA）値」を外部に設けられた管理システムから受信して、前記データ送信条件送信部（１）に送信する第１回線データ送信条件割出部（８）を有することを特徴とする。
【００９３】
＜本発明の第３５のデータ転送システム＞
本発明の第３５のデータ転送システムは、前述した第１及び第２の課題を解決するため、下記の如く構成されている。図１０は、本発明の原理説明図である。
【００９４】
即ち、前記第３の通信装置に第３の回線を介して接続された第４の通信装置とを備え、
前記第１の通信装置から前記第４の通信装置へのデータ転送方向を上り方向とし、前記第４の通信装置から前記第１の通信装置へのデータ転送方向を下り方向とした場合に、
前記データ送信条件送信部、前記実データ送信状態獲得部、前記輻輳発生判断部、前記データ送信条件割出部、前記実データ送信状態出力部の機能を、前記第１の回線下りチャネル並びに前記第２の回線上り・下りチャネル及び前記第３の回線上り・下りチャネルへも適用することを特徴とする。
【００９５】
＜本発明の第３６のデータ転送システム＞
本発明の第３６のデータ転送システムは、前述した第１及び第２の課題を解決するため、下記の如く構成されている。
【００９６】
即ち、第３５のデータ転送システムにおいて、前記第２の通信装置（２０）が、通信上、前記第１の通信装置（１０）と同様の役割を果たす通信装置（１１）を複数接続し、前記第３の通信装置（３０）が、通信上、前記第４の通信装置（４０）と同様の機能を果たす通信装置（４１）を複数接続し、各々の回線上り・下りチャネルにも適用されることを特徴とする。
【００９７】
＜本発明の第３７のデータ転送システム＞
本発明の第３７のデータ転送システムは、前述した第１及び第２の課題を解決するため、下記の如く構成されている。
【００９８】
即ち、第３５のデータ転送システムにおいて、前記第２の通信装置（２０）と前記第３の通信装置（３０）が呼接続処理を使わず、固定的仮想論理パスによって、前記第１の通信装置（１０）と前記第４の通信装置（４０）間の上りチャネル及び下りチャネルを予め設定する場合に、前記データ送信条件送信部（１）、前記実データ送信状態獲得部（２）、前記輻輳発生判断部（３）、前記データ送信条件割出部（４）、前記実データ送信状態出力部（５）、前記実データ受信状態出力部（５ａ）、前記一義決定情報出力部（６）、前記上限データ送信条件出力部（７）、前記第１回線データ送信条件割出部（８）の機能が、前記第１の回線（Ａ）の上り・下りチャネル、前記第２の回線（Ｂ）の上り・下りのチャネル及び前記第３の回線（Ｃ）の上り・下りチャネルに適用されることを特徴とする。
【００９９】
＜本発明の第３８のデータ転送システム＞
本発明の第３８のデータ転送システムは、前述した第１及び第２の課題を解決するため、下記の如く構成されている。
【０１００】
即ち、第１から第３７のデータ転送システムにおいて、前記第１の回線（Ａ）の上り・下りチャネル、前記第３の回線（Ｃ）の上り・下りチャネルあるいは前記第２の回線（Ｂ）の上り・下りチャネルの利用を有償とする場合、データ送信条件（ｄ、ｔ）の値に基づいて、利用金額を付与することを特徴とする。
【０１０１】
＜本発明の第１のデータ転送方法＞
本発明の第１のデータ転送方法は、前述した第１及び第２の課題を解決するため、下記の如く構成されている。図１２は、本発明の原理説明図である。
【０１０２】
即ち、第１の通信装置（１０）と、この第１の通信装置（１０）に第１の回線（Ａ）を介して接続された第２の通信装置（２０）と、この第２の通信装置（２０）に第２の回線（Ｂ）を介して接続された第３の通信装置（３０）とを備えたデータ転送システムのデータ転送方法において、前記第１の通信装置（１０）から前記第２の通信装置（２０）に前記第１の回線（Ａ）を介して連続データが送信されるときに、連続データの先頭ビットから末尾ビット（以下、連続データという）までの送信時間をデータ長時間ｄA とするとともに、連続データの発生時間間隔をｔA とし、前記第２の通信装置（２０）から前記第３の通信装置（３０）に前記第２の回線（Ｂ）を介して連続データが送信されるときに、連続データの先頭ビットから末尾ビットまでの送信時間をデータ長時間ｄBとするとともに、連続データの発生時間間隔をｔB とした場合に、前記第１の回線（Ａ）のデータ送信条件（uｄA、uｔA）を、前記第２の回線（Ｂ）に対する上限のデータ送信条件（uｄBm、uｔBm）に設定することを特徴とする。
【０１０３】
＜本発明の第２のデータ転送方法＞
本発明の第２のデータ転送方法は、前述した第１及び第２の課題を解決するため、下記の如く構成されている。図１３は、本発明の原理説明図である。
【０１０４】
即ち、第１の通信装置（１０）と、この第１の通信装置（１０）に通信チャネルを介して接続された第２の通信装置（２０）とを備えたデータ転送システムのデータ転送方法において、前記第２の通信装置（２０）は、前記第１の通信装置（１０）にデータ送信条件（ｄ、ｔ）を送信し、前記第１の通信装置（１０）は、前記データ送信条件（ｄ、ｔ）に基づいて、データを送信する動作を含むことを特徴とする。
【０１０５】
＜本発明の第３のデータ転送方法＞
本発明の第３のデータ転送方法は、前述した第１及び第２の課題を解決するため、下記の如く構成されている。
【０１０６】
即ち、第２のデータ転送方法におけるデータ転送方法は、必要に応じ使用されることを特徴とする。
＜本発明の第４のデータ転送方法＞本発明の第４のデータ転送方法は、前述した第２の課題を解決するため、下記の如く構成されている。図１４は、本発明の原理説明図である。
【０１０７】
即ち、第１の通信装置（１０）と、この第１の通信装置（１０）に第１の回線（Ａ）を介して接続された第２の通信装置（２０）と、この第２の通信装置（２０）に第２の回線（Ｂ）を介して接続された第３の通信装置（３０）と、この第３の通信装置（３０）に第３の回線（Ｃ）を介して接続された第４の通信装置（４０）とを備え、前記第１の通信装置（１０）から前記第２の通信装置（２０）及び前記第３の通信装置（３０）を介して前記第４の通信装置（４０）にデータ転送するデータ転送システムのデータ転送方法において、前記第１の通信装置（１０）と前記第４の通信装置（４０）間が通信中に、前記第２の通信装置（２０）においてデータ転送に輻輳が発生する場合に、前記第２の通信装置（２０）は、前記第１の通信装置（１０）に、第１から第３４のデータ転送システムのいずれかにて設定された前記第１の回線（Ａ）に対するデータ送信条件（ｄA、ｔA）を送信し、前記第１の通信装置（１０）は、前記データ送信条件（ｄA、ｔA）に基づいて、データを送信する動作を含むことを特徴とする。
【０１０８】
＜本発明の第５のデータ転送方法＞
本発明の第５のデータ転送方法は、前述した第２の課題を解決するため、下記の如く構成されている。図１５は、本発明の原理説明図である。
【０１０９】
即ち、第１の通信装置（１０）と、この第１の通信装置（１０）に第１の回線（Ａ）を介して接続された第２の通信装置（２０）と、この第２の通信装置（２０）に第２の回線（Ｂ）を介して接続された第３の通信装置（３０）と、この第３の通信装置（３０）に第３の回線（Ｃ）を介して接続された第４の通信装置（４０）とを備え、前記第１の通信装置（１０）から前記第２の通信装置（２０）及び前記第３の通信装置（３０）を介して前記第４の通信装置（４０）にデータ転送するデータ転送システムのデータ転送方法において、前記第１の通信装置（１０）と前記第４の通信装置（４０）間が通信中に、前記第３の通信装置（３０）においてデータ転送に輻輳が発生する場合に、前記第３の通信装置（３０）は、前記第１の通信装置（１０）に、第１から第３４のデータ転送システムのいずれかにて設定された前記第１の回線（Ａ）に対するデータ送信条件（ｄA、ｔA）を送信し、前記第１の通信装置（１０）は、前記データ送信条件（ｄA、ｔA）に基づいて、データを送信する動作を含むことを特徴とする。
【０１１０】
＜本発明の第６のデータ転送方法＞
本発明の第６のデータ転送方法は、前述した第２の課題を解決するため、下記の如く構成されている。図１６は、本発明の原理説明図である。
【０１１１】
即ち、第１の通信装置（１０）と、この第１の通信装置（１０）に第１の回線（Ａ）を介して接続された第２の通信装置（２０）と、この第２の通信装置（２０）に第２の回線（Ｂ）を介して接続された第３の通信装置（３０）と、この第３の通信装置（３０）に第３の回線（Ｃ）を介して接続された第４の通信装置（４０）とを備え、前記第４の通信装置（４０）から前記第３の通信装置（３０）及び前記第２の通信装置（２０）を介して前記第１の通信装置（１０）にデータ転送するデータ転送システムのデータ転送方法において、前記第１の通信装置（１０）と前記第４の通信装置（４０）間が通信中に、前記第３の通信装置（３０）においてデータ転送に輻輳が発生する場合に、前記第３の通信装置（３０）は、前記第４の通信装置（４０）に、前記第３の回線（Ｃ）に対するデータ送信条件（ｄC、ｔC）を送信し、前記第４の通信装置（４０）は、第１から第３４のデータ転送システムのいずれかにて設定された前記データ送信条件（ｄC、ｔC）に基づいて、データを送信する動作を含むことを特徴とする。
【０１１２】
＜本発明の第７のデータ転送方法＞
本発明の第７のデータ転送方法は、前述した第２の課題を解決するため、下記の如く構成されている。図１７は、本発明の原理説明図である。
【０１１３】
即ち、第１の通信装置（１０）と、この第１の通信装置（１０）に第１の回線（Ａ）を介して接続された第２の通信装置（２０）と、この第２の通信装置（２０）に第２の回線（Ｂ）を介して接続された第３の通信装置（３０）と、この第３の通信装置（３０）に第３の回線（Ｃ）を介して接続された第４の通信装置（４０）とを備え、前記第４の通信装置（４０）から前記第３の通信装置（３０）及び前記第２の通信装置（２０）を介して前記第１の通信装置（１０）にデータ転送するデータ転送システムのデータ転送方法において、前記第１の通信装置（１０）と前記第４の通信装置（４０）間が通信中に、前記第２の通信装置（２０）においてデータ転送に輻輳が発生する場合に、前記第２の通信装置（２０）は、前記第４の通信装置（４０）に、第１から第３４のデータ転送システムのいずれかにて設定された前記第３の回線（Ｃ）に対するデータ送信条件（ｄC、ｔC）を送信し、前記第４の通信装置（４０）は、前記データ送信条件（ｄC、ｔC）に基づいて、データを送信する動作を含むことを特徴とする。
【０１１４】
＜本発明の第８のデータ転送方法＞
本発明の第８のデータ転送方法は、前述した第２の課題を解決するため、下記の如く構成されている。図１８は、本発明の原理説明図である。
【０１１５】
即ち、第１の通信装置（１０）と、この第１の通信装置（１０）に第１の回線（Ａ）を介して接続された第２の通信装置（２０）と、この第２の通信装置（２０）に第３の回線（Ｃ）を介して接続された第４の通信装置（４０）とを備え、前記第１の通信装置（１０）から前記第２の通信装置（２０）を介して前記第４の通信装置（４０）にデータ転送されるデータ転送システムのデータ転送方法において、前記第１の通信装置（１０）と前記第４の通信装置（４０）間が通信中に、前記第２の通信装置（２０）においてデータ転送に輻輳が発生する場合に、前記第２の通信装置（２０）は、前記第１の通信装置（１０）に、第１から第３４のデータ転送方法のいずれかにて設定された前記第１の回線（Ａ）に対するデータ送信条件（ｄA、ｔA）を送信し、前記第１の通信装置（１０）は、前記データ送信条件（ｄA、ｔA）に基づいて、データを送信する動作を含むことを特徴とする。
【０１１６】
＜本発明の第９のデータ転送方法＞
本発明の第９のデータ転送方法は、前述した第２の課題を解決するため、下記の如く構成されている。図１９は、本発明の原理説明図である。
【０１１７】
即ち、第１の通信装置（１０）と、この第１の通信装置（１０）に第１の回線（Ａ）を介して接続された第２の通信装置（２０）と、この第２の通信装置（２０）に第３の回線（Ｃ）を介して接続された第４の通信装置（４０）とを備え、前記第４の通信装置（４０）から前記第２の通信装置（２０）を介して前記第１の通信装置（１０）にデータ転送されるデータ転送システムのデータ転送方法において、前記第１の通信装置（１０）と前記第４の通信装置（４０）間が通信中に、前記第２の通信装置（２０）においてデータ転送に輻輳が発生する場合に、前記第２の通信装置（２０）は、前記第４の通信装置（４０）に、第１から第３４のデータ転送システムのいずれかにて設定された前記第３の回線（Ｃ）に対するデータ送信条件（ｄC、ｔC）を送信し、前記第４の通信装置（４０）は、前記データ送信条件（ｄC、ｔC）に基づいて、データを送信する動作を含むことを特徴とする。
【０１１８】
＜本発明の第１０のデータ転送方法＞
本発明の第１０のデータ転送方法は、前述した第１の課題を解決するため、下記の如く構成されている。
【０１１９】
即ち、第４のデータ転送方法において、前記第２の通信装置（２０）は、前記第２の通信装置（２０）においてデータ転送に輻輳が発生していない場合でも、前記第１の通信装置（１０）に、第１から第３４のデータ転送システムのいずれかにて設定された前記データ送信条件（ｄA、ｔA）を送信することを特徴とする。
【０１２０】
＜本発明の第１１のデータ転送方法＞
本発明の第１１のデータ転送方法は、前述した第１の課題を解決するため、下記の如く構成されている。
【０１２１】
即ち、第５のデータ転送システムにおいて、前記第３の通信装置（３０）は、前記第３の通信装置（３０）においてデータ転送に輻輳が発生していない場合でも、前記第１の通信装置（１０）に、第１から第３４のデータ転送システムのいずれかにて設定された前記データ送信条件（ｄA、ｔA）を送信することを特徴とする。
【０１２２】
＜本発明の第１２のデータ転送方法＞
本発明の第１２のデータ転送方法は、前述した第１の課題を解決するため、下記の如く構成されている。
【０１２３】
即ち、第６のデータ転送システムにおいて、前記第３の通信装置（３０）は、前記第３の通信装置（３０）においてデータ転送に輻輳が発生していない場合でも、前記第４の通信装置（４０）に、第１から第３４のデータ転送システムのいずれかにて設定された前記データ送信条件（ｄC、ｔC）を送信することを特徴とする。
【０１２４】
＜本発明の第１３のデータ転送方法＞
本発明の第１３のデータ転送方法は、前述した第１の課題を解決するため、下記の如く構成されている。
【０１２５】
即ち、第７のデータ転送システムにおいて、前記第２の通信装置（２０）は、前記第２の通信装置（２０）においてデータ転送に輻輳が発生していない場合でも、前記第４の通信装置（４０）に、第１から第３４のデータ転送システムのいずれかにて設定された前記データ送信条件（ｄC、ｔC）を送信することを特徴とする。
【０１２６】
＜本発明の第１４のデータ転送方法＞
本発明の第１４のデータ転送方法は、前述した第１の課題を解決するため、下記の如く構成されている。
【０１２７】
即ち、第８のデータ転送システムにおいて、前記第２の通信装置（２０）は、前記第２の通信装置（２０）においてデータ転送に輻輳が発生していない場合でも、前記第１の通信装置（１０）に、第１から第３４のデータ転送システムのいずれかにて設定された前記データ送信条件（ｄA、ｔA）を送信することを特徴とする。
【０１２８】
＜本発明の第１５のデータ転送方法＞
本発明の第１５のデータ転送方法は、前述した第１の課題を解決するため、下記の如く構成されている。
【０１２９】
即ち、第９のデータ転送システムにおいて、前記第２の通信装置（２０）は、前記第２の通信装置（２０）においてデータ転送に輻輳が発生していない場合でも、前記第４の通信装置（４０）に、第１から第３４のデータ転送システムのいずれかにて設定された前記データ送信条件（ｄC、ｔC）を送信することを特徴とする。
【０１３０】
＜本発明の第１６のデータ転送方法＞
本発明の第１６のデータ転送方法は、前述した第１及び第２の課題を解決するため、下記の如く構成されている。
【０１３１】
即ち、第１の通信装置（１０）と、この第１の通信装置（１０）に第１の回線（Ａ）を介して接続された第２の通信装置（２０）と、この第２の通信装置（２０）に第１の中継回線（Ｂ1） を介して接続された第５の通信装置（５０）と、この第５の通信装置（５０）に第２の中継回線（Ｂ2） を介して接続された第３の通信装置（３０）と、この第３の通信装置（３０）に第３の回線（Ｃ）を介して接続された第４の通信装置（４０）とを備え、前記第１の通信装置（１０）と前記第２の通信装置（２０）間、前記第２の通信装置（２０）と前記第５の通信装置（５０）間、前記第５の通信装置（５０）と前記第３の通信装置（３０）間及び前記第３の通信装置（３０）と前記第４の通信装置（４０）間で双方向にデータ転送するデータ転送システムのデータ転送方法において、前記第１の通信装置（１０）から前記第４の通信装置（４０）へのデータ転送方向を上り方向とし、前記第４の通信装置（４０）から前記第１の通信装置（１０）へのデータ転送方向を下り方向とした場合に、前記第５の通信装置（５０）は、前記第２の通信装置（２０）に、第１から第３４のデータ転送システムのいずれかにて設定された前記第２の中継回線（Ｂ2） 上りチャネルに対するデータ送信条件（uｄB2、uｔB2）を送信し、前記第１の通信装置（１０）に、第１から第３４のデータ転送システムのいずれかにて設定された前記第１の中継回線（Ｂ1） 上りチャネルに対するデータ送信条件（uｄB1、uｔB1）を送信し、前記第３の通信装置（３０）に、第１から第３４のデータ転送システムのいずれかにて設定された前記第１の中継回線（Ｂ1） 下りチャネルに対するデータ送信条件（dｄB1、dｔB1）を送信し、前記第４の通信装置（４０）に、第１から第３４のデータ転送システムのいずれかにて設定された前記第２の中継回線（Ｂ2） 下りチャネルに対するデータ送信条件（dｄB2、dｔB2）を送信する動作を含むことを特徴とする。
【０１３２】
【作用】
＜本発明の第１のデータ転送システムの作用＞
本発明の第１のデータ転送システムによれば、データ送信条件受信部（１１）は、第２の通信装置（２０）から送信された第１の回線（Ａ）の上りチャネルに対するデータ送信条件（ｕｄＡ、ｕｔＡ）値を受信できる。そして、データ送信部（１２）は、データ送信条件受信部（１１）が受信したデータ送信条件（ｕｄＡ、ｕｔＡ）に従ってデータ送信できる。
【０１３３】
＜本発明の第２のデータ転送システムの作用＞
本発明の第２のデータ転送システムによれば、第１のデータ転送システムの作用に加えて、第２の通信装置（２０）のデータ送信条件割出部（４）が、輻輳発生判断部（３）の出力結果を基に、所定の割付基準を用いて、第２の回線（Ｂ）上りチャネルのデータ転送において輻輳を発生させず、高効率にデータを転送できる個々の第１の回線（Ａ）の上りチャネルに対するデータ送信条件（ｄA、ｔA）を割り出すことができる。
【０１３４】
＜本発明の第３のデータ転送システムの作用＞
本発明の第３のデータ転送システムによれば、第２のデータ転送システムの作用に加えて、データ送信条件送信部（１）は、送信したデータ送信条件（ｕｄＡ、ｕｔＡ）値を保存するデータ送信条件管理表を有することで、複数の通信装置（１０）に送信したデータ送信条件（ｕｄＡ、ｕｔＡ）値を管理することができる。
【０１３５】
＜本発明の第４のデータ転送システムの作用＞
本発明の第４のデータ転送システムによれば、実データ送信状態獲得部（２）は、第２の回線（Ｂ）の上りチャネルの送信データを監視レベルを用いて監視し、実際のデータ送信状態（ｕｄＢｒ、ｕｔＢｒ）値を獲得できる。
【０１３６】
＜本発明の第５のデータ転送システムの作用＞
本発明の第５のデータ転送システムによれば、第４のデータ転送システムの実データ送信状態獲得部（２）は、レイヤ１において電気的同期がとれ、データビット列のディジタル信号列を検出でき、データビット列のディジタル信号列を識別できる。
【０１３７】
＜本発明の第６のデータ転送システムの作用＞
本発明の第６のデータ転送システムによれば、第４のデータ転送システムの実データ送信状態獲得部（２）は、フレーム単位のフラグが検出できることでフレーム列が検出でき、フレーム列を識別できる。
【０１３８】
＜本発明の第７のデータ転送システムの作用＞
本発明の第７のデータ転送システムによれば、第４のデータ転送システムの実データ送信状態獲得部（２）は、セル単位のヘッダが検出できることでセル列を検出でき、セル列を識別できる。
【０１３９】
＜本発明の第８のデータ転送システムの作用＞
本発明の第８のデータ転送システムによれば、第１のデータ転送システムにおいて、第２の通信装置（２０）の輻輳発生判断部（３）は、第２の回線（Ｂ）の上りチャネルに対する上限のデータ送信条件（ｕｄＢｍ、ｕｔＢｍ）値と、実データ送信状態獲得部（２）により獲得された第２の回線（Ｂ）の上りチャネルにおける実際の送信条件（ｕｄＢｒ、ｕｔＢｒ）値を比較でき、第２の回線（Ｂ）の上りチャネルにおいて輻輳が発生しているか否かを判断できるとともに、上限のデータ送信条件（ｕｄＢｍ、ｕｔＢｍ）値と実際の送信条件（ｕｄＢｒ、ｕｔＢｒ）値との比較による差分値を求めることができる。
【０１４０】
＜本発明の第９のデータ転送システムの作用＞
本発明の第９のデータ転送システムによれば、第８のデータ転送システムにおいて、輻輳発生判断部（３）は、下記のステップ１から６により、Ｘ、Ｙ、Ｚの差分値を求めることができ、比較及び輻輳発生有無の判断ができる。
〔ステップ１〕
式（１）を計算する。
【０１４１】
ｕｄＢｍ−ｕｄＢｒ＝Ｘ                                              （１）
〔ステップ２〕
式（１）で、Ｘが０または輻輳発生直前までの余裕値である＋ｊの場合には、式（２）を計算する。
【０１４２】
（ｕｄＢｍ＋ｕｔＢｍ）−（ｕｄＢｒ＋ｕｔＢｒ）＝Ｚ                        （２）
〔ステップ３〕
式（２）で、Ｚが０または輻輳発生直前までの余裕値である＋ｐの場合には輻輳に移行しない。
〔ステップ４〕
式（１）で、Ｘが−ｋの場合には、式（３）を計算する。
【０１４３】
（ｕｄＢｍ＋ｕｔＢｍ）−（ｕｄＢｒ＋ｕｔＢｒ）＝Ｙ                        （３）
〔ステップ５〕
式（３）で、Ｙが０または輻輳発生直前までの余裕値である＋ｍの場合には輻輳に移行しない。
〔ステップ６〕
式（３）でＹが−ｎの場合、又は式（２）でＺが−ｑの場合には、輻輳に移行する。
【０１４４】
＜本発明の第１０のデータ転送システムの作用＞
本発明の第１０のデータ転送システムによれば、第２の通信装置（２０）のデータ送信条件割出部（４）は、輻輳発生判断部（３）の出力結果を基に、所定の割付基準を用いて、第２の回線（Ｂ）上りチャネルのデータ転送において輻輳を発生させず、高効率にデータを転送できる個々の第１の回線（Ａ）の上りチャネルに対するデータ送信条件（ｄＡ、ｔＡ）を割り出すことができる。
【０１４５】
＜本発明の第１１のデータ転送システムの作用＞
本発明の第１１のデータ転送システムによれば、第１０のデータ転送システムにおけるデータ送信条件割出部（４）は、上限のデータ送信条件（ｕｄＡｍ、ｕｔＡｍ）に比べて安全側に余裕を持たせた安全データ送信条件（ｕｄＢｓ、ｕｔＢｓ）を、上限のデータ送信条件（ｕｄＡｍ、ｕｔＡｍ）の代わりに用いることができる。
【０１４６】
＜本発明の第１２のデータ転送システムの作用＞
本発明の第１２のデータ転送システムによれば、第１０のデータ転送システムのデータ送信条件割出部（４）は、第１の回線（Ａ）の上りチャネルの送信データが、第２の回線（Ｂ）の上りチャネルを占有できる場合、所定割付基準として、
ｕｄＡｉ＋ｕｔＡｉ＝ｕｄＢｓ＋ｕｔＢｓ
の関係を割り付けることができる。
【０１４７】
＜本発明の第１３のデータ転送システムの作用＞
本発明の第１３のデータ転送システムによれば、第１０のデータ転送システムにおけるデータ送信条件割出部（４）は、ｎ個の第１の回線（Ａ）上りチャネルの送信データが、第２の回線（Ｂ）の上りチャネルを占有できる場合、所定割付基準として、
Σ（ｕｄＡｉ＋ｕｔＡｉ）＝ｕｄＢｓ＋ｕｔＢｓ
の関係を採用できる。
【０１４８】
＜本発明の第１４のデータ転送システムの作用＞
本発明の第１４のデータ転送システムによれば、第１３のデータ転送システムにおいて、ｕｄＡｉとｕｔＡｉとの合計値は、
（ｕｄＡ１＋ｕｔＡ１）＝（ｕｄＡ２＋ｕｔＡ２）＝・・・＝（ｕｄＡｉ＋ｕｔＡｉ）＝（ｕｄＡｎ＋ｕｔＡｎ）
の均等の関係から割り出すことができる。
【０１４９】
＜本発明の第１５のデータ転送システムの作用＞
本発明の第１５のデータ転送システムによれば、第１３のデータ転送システムにおいて、ｕｄＡｉとｕｔＡｉとの合計値は、単位時間に送信するデータビット量の合計値であるΣｄＡｉに順位関係が現れるように付与できる。
【０１５０】
＜本発明の第１６のデータ転送システムの作用＞
本発明の第１６のデータ転送システムによれば、第１５のデータ転送システムにおいて、ｕｄＡｉとｕｔＡｉとの合計値は、第１の通信装置（１０）の性能に基づいて、順位関係を設けることができる。
【０１５１】
＜本発明の第１７のデータ転送システムの作用＞
本発明の第１７のデータ転送システムによれば、第１５のデータ転送システムにおいて、ｕｄＡｉとｕｔＡｉとの合計値は、第１の通信装置（１０）の運用に基づいて、順位関係を設けることができる。
【０１５２】
＜本発明の第１８のデータ転送システムの作用＞
本発明の第１８のデータ転送システムによれば、第１５のデータ転送システムにおいて、ｕｄＡｉとｕｔＡｉとの合計値は、第４の通信装置（４０）の性能に基づいて、順位関係を設けることができる。
【０１５３】
＜本発明の第１９のデータ転送システムの作用＞
本発明の第１９のデータ転送システムによれば、第１５のデータ転送システムにおいて、ｕｄＡｉとｕｔＡｉとの合計値は、第４の通信装置（４０）の運用に基づいて、順位関係を設けることができる。
【０１５４】
＜本発明の第２０のデータ転送システムの作用＞
本発明の第２０のデータ転送システムによれば、第１５のデータ転送システムにおいて、ｕｄＡｉとｕｔＡｉとの合計値は、第１の回線（Ａ）の性能に基づいて、順位関係を設けることができる。
【０１５５】
＜本発明の第２１のデータ転送システムの作用＞
本発明の第２１のデータ転送システムによれば、第１５のデータ転送システムにおいて、ｕｄＡｉとｕｔＡｉとの合計値は、第１の回線（Ａ）の運用に基づいて、順位関係を設けることができる。
【０１５６】
＜本発明の第２２のデータ転送システムの作用＞
本発明の第２２のデータ転送システムによれば、第１５のデータ転送システムにおいて、ｕｄＡｉとｕｔＡｉとの合計値は、第３の回線（Ｃ）の性能に基づいて、順位関係を設けることができる。
【０１５７】
＜本発明の第２３のデータ転送システムの作用＞
本発明の第２２のデータ転送システムによれば、第１５のデータ転送システムにおいて、ｕｄＡｉとｕｔＡｉとの合計値は、第３の回線（Ｃ）の運用に基づいて、順位関係を設けることができる。
【０１５８】
＜本発明の第２４のデータ転送システムの作用＞
本発明の第２４のデータ転送システムによれば、第１５のデータ転送システムにおいて、ｕｄＡｉとｕｔＡｉとの合計値は、第２の回線（Ｂ）の性能に基づいて、順位関係を設けることができる。
【０１５９】
＜本発明の第２５のデータ転送システムの作用＞
本発明の第２５のデータ転送システムによれば、第１５のデータ転送システムにおいて、ｕｄＡｉとｕｔＡｉとの合計値は、第２の回線（Ｂ）の運用に基づいて、順位関係を設けることができる。
【０１６０】
＜本発明の第２６のデータ転送システムの作用＞
本発明の第２６のデータ転送システムによれば、第１５のデータ転送システムにおいて、ｕｄＡｉとｕｔＡｉとの合計値は、個々の第１の通信装置（１０）のデータ送信時刻に基づいて、順位関係を設けることができる。
【０１６１】
＜本発明の第２７のデータ転送システムの作用＞
本発明の第２７のデータ転送システムによれば、第１５のデータ転送システムにおいて、ｕｄＡｉとｕｔＡｉとの合計値は、個々の第４の通信装置（４０）のデータ受信時刻に基づいて、順位関係を設けることができる。
【０１６２】
＜本発明の第２８のデータ転送システムの作用＞
本発明の第２８のデータ転送システムによれば、第３の通信装置（３０）のデータ送信状態獲得部（２１）は、第２の回線（Ｂ）の上りチャネルからの受信データを監視し、実際のデータ送信状態（ｕｄＢｒ、ｕｔＢｒ）を獲得できる。
【０１６３】
＜本発明の第２９のデータ転送システムの作用＞
本発明の第２９のデータ転送システムによれば、第２８のデータ転送システムにおいて、第３の通信装置（３０）の実データ送信状態送信部（２２）は、実データ送信状態獲得部（２１）が獲得した実際のデータ送信状態（ｕｄＢｒ、ｕｔＢｒ）を、第２の通信装置（２０）に送信できる。
【０１６４】
＜本発明の第３０のデータ転送システムの作用＞
本発明の第３０のデータ転送システムによれば、第８のデータ転送システムにおいて、第２の通信装置（２０）の実データ送信状態出力部（５）は、第３の通信装置（３０）の実データ送信状態送信部（２２）から送信された実データ送信状態（ｕｄＢｒ、ｕｔＢｒ）を受信でき、輻輳発生判断部（３）に出力できる。
【０１６５】
＜本発明の第３１のデータ転送システムの作用＞
本発明の第３１のデータ転送システムによれば、第２の通信装置（２０）の実データ受信状態出力部（５ａ）は、外部に設けられた管理システムが監視測定した第２の回線（Ｂ）の上りチャネルにおける実際の受信状態（ｕｄＢｒ、ｕｔＢｒ）を入力でき、輻輳発生判断部（３）に出力できる。
【０１６６】
＜本発明の第３２のデータ転送システムの作用＞
本発明の第３２のデータ転送システムによれば、第２の通信装置（２０）の一義決定情報出力部（６）は、外部に設けられた管理システムが一義的に決定した、「輻輳発生判断部（３）が出力する情報と同じ情報」を入力でき、データ送信条件割出部（４）に出力できる。
【０１６７】
＜本発明の第３３のデータ転送システムの作用＞
本発明の第３３のデータ転送システムによれば、第２の通信装置（２０）の上限データ送信条件出力部（７）は、外部に設けられた管理システムより、第２の回線（Ｂ）の上りチャネルに対する上限のデータ送信条件（ｕｄＢｍ、ｕｔＢｍ）を入力して、輻輳発生判断部（３）に出力でき、通信装置又は輻輳発生判断部（３）自身で持っている該上限のデータ送信条件の代わりに使うことができる。
【０１６８】
＜本発明の第３４のデータ転送システムの作用＞
本発明の第３４のデータ転送システムによれば、第２の通信装置（２０）の第１回線データ送信条件割出部（８）は、第１２から第２７のいずれかのデータ転送システムにおける所定割付基準に基づいて、任意の第１の回線（Ａ）の上りチャネルに対するデータ送信条件（ｕｄＡ、ｕｔＡ）値を外部に設けられた管理システムから受信して、データ送信条件送信部（１）に送信できる。
【０１６９】
＜本発明の第３５のデータ転送システムの作用＞
本発明の第３５のデータ転送システムによれば、第１から第３４のデータ転送システムにおいて示したデータ送信条件送信部（１）、実データ送信状態獲得部（２）、輻輳発生判断部（３）、データ送信条件割出部（４）、実データ送信状態出力部（５）、実データ受信状態出力部（５ａ）、一義決定情報出力部（６）、上限データ送信条件出力部（７）、第１回線データ送信条件割出部（８）の機能は、第１の回線（Ａ）の下りチャネルならびに第２の回線（Ｂ）上り・下りチャネル及び第３の回線（Ｃ）上り・下りチャネルへも適用できる。
【０１７０】
＜本発明の第３６のデータ転送システムの作用＞
本発明の第３６のデータ転送システムによれば、図３１の如く、第３５のデータ転送システムにおける機能は、第２の通信装置（２０）が、通信上、第１の通信装置（１０）と同様の役割を果たす通信装置（１１）を複数接続でき、第３の通信装置（３０）が、通信上、第４の通信装置（４０）と同様の機能を果たす通信装置（４１）を複数接続でき、各々の回線の上り・下りチャネルにも適用できる。
【０１７１】
＜本発明の第３７のデータ転送システムの作用＞
本発明の第３７のデータ転送システムによれば、第２の通信装置（２０）と第３の通信装置（３０）が呼接続処理を使わず、固定的仮想論理パスによって、第１の通信装置（１０）と第４の通信装置（４０）間の上りチャネル及び下りチャネルを予め設定する場合に、データ送信条件送信部（１）、実データ送信状態獲得部（２）、輻輳発生判断部（３）、データ送信条件割出部（４）、実データ送信状態出力部（５）、実データ受信状態出力部（５ａ）、一義決定情報出力部（６）、上限データ送信条件出力部（７）、第１回線データ送信条件割出部（８）の機能は、第１の回線（Ａ）、第２の回線（Ｂ）及び第３の回線（Ｃ）の上り・下りのチャネルに適用できる。
【０１７２】
＜本発明の第３８のデータ転送システムの作用＞
本発明の第３８のデータ転送システムによれば、第１から第３７のデータ転送システムにおいて、第１の回線（Ａ）の上り・下りチャネル、第３の回線（Ｃ）の上り・下りチャネルあるいは第２の回線（Ｂ）の上り・下りのチャネルの利用を有償とする場合、データ送信条件（ｄ、ｔ）の値に基づいて、利用金額が付与できる。
【０１７３】
＜本発明の第１のデータ転送方法の作用＞
本発明の第１のデータ転送方法によれば、第１の回線（Ａ）上りチャネルのデータ送信条件（ｕｄＡ、ｕｔＡ）は、第２の回線（Ｂ）上りチャネルの上限のデータ送信条件（ｕｄＢｍ、ｕｔＢｍ）を設定でき、これにより、第２の通信装置（２０）は、輻輳を発生させず、なおかつ、第２の回線（Ｂ）上りチャネルにおけるデータ転送効率は最大となる。
【０１７４】
なお、下りチャネルについては、第１の通信装置（１０）と第２の通信装置（２０）の関係を逆転させた手段により同じ作用となる。
＜本発明の第２のデータ転送方法の作用＞
本発明の第２のデータ転送方法によれば、第２の通信装置（２０）は、第１の通信装置（１０）に、通信チャネルに対するデータ送信条件（ｄ、ｔ）を送信できる。そして、第１の通信装置（１０）は、データ送信条件（ｄ、ｔ）に基づいて、データを送信できる。
【０１７５】
即ち、受信装置と送信装置は、送信データ量を定量数値に従って送受信できる。
＜本発明の第３のデータ転送方法の作用＞
本発明の第３のデータ転送方法によれば、第２のデータ転送方法は、必要に応じ使用することができる。
【０１７６】
即ち、他のデータ転送方法との切り替え使用が可能となる。
＜本発明の第４のデータ転送方法の作用＞
本発明の第４のデータ転送方法によれば、第１の通信装置（１０）と第４の通信装置（４０）間が通信中に、第２の通信装置（２０）においてデータ転送に輻輳が発生する場合に、第２の通信装置（２０）は、第１の通信装置（１０）に、第１の回線（Ａ）に対する第１から第３４のデータ転送システムのいずれかにて設定されたデータ送信条件（ｄＡ、ｔＡ）を送信できる。
【０１７７】
そして、第１の通信装置（１０）は、データ送信条件（ｄＡ、ｔＡ）に基づいて、データを送信でき、該輻輳を解除できる。
＜本発明の第５のデータ転送方法の作用＞
本発明の第５のデータ転送方法によれば、第１の通信装置（１０）と第４の通信装置（４０）間が通信中に、第３の通信装置（３０）においてデータ転送に輻輳が発生する場合に、第３の通信装置（３０）は、第１の通信装置（１０）に、第１の回線（Ａ）に対する第１から第３４のデータ転送システムのいずれかにて設定されたデータ送信条件（ｄＡ、ｔＡ）を送信できる。
【０１７８】
そして、第１の通信装置（１０）は、データ送信条件（ｄＡ、ｔＡ）に基づいて、データを送信でき、該輻輳を解除できる。
＜本発明の第６のデータ転送方法の作用＞
本発明の第６のデータ転送方法によれば、第１の通信装置（１０）と第４の通信装置（４０）間が通信中に、第３の通信装置（３０）においてデータ転送に輻輳が発生する場合に、第３の通信装置（３０）は、第４の通信装置（４０）に、第３の回線（Ｃ）に対する第１から第３４のデータ転送システムのいずれかにて設定されたデータ送信条件（ｄＣ、ｔＣ）を送信できる。
【０１７９】
そして、第４の通信装置（４０）は、データ送信条件（ｄＣ、ｔＣ）に基づいて、データを送信でき、該輻輳を解除できる。
＜本発明の第７のデータ転送方法の作用＞
本発明の第７のデータ転送方法によれば、第１の通信装置（１０）と第４の通信装置（４０）間が通信中に、第２の通信装置（２０）においてデータ転送に輻輳が発生する場合に、第２の通信装置（２０）は、第４の通信装置（４０）に、第３の回線（Ｃ）に対する第１から第３４のデータ転送システムのいずれかにて設定されたデータ送信条件（ｄＣ、ｔＣ）を送信できる。
【０１８０】
そして、第４の通信装置（４０）は、データ送信条件（ｄＣ、ｔＣ）に基づいて、データを送信でき、該輻輳を解除できる。
＜本発明の第８のデータ転送方法の作用＞
本発明の第８のデータ転送方法によれば、第１の通信装置（１０）と第４の通信装置（４０）間が通信中に、第２の通信装置（２０）においてデータ転送に輻輳が発生する場合に、第２の通信装置（２０）は、第１の通信装置（１０）に、第１の回線（Ａ）に対する第１から第３４のデータ転送システムのいずれかにて設定されたデータ送信条件（ｄＡ、ｔＡ）を送信できる。
【０１８１】
そして、第１の通信装置（１０）は、データ送信条件（ｄＡ、ｔＡ）に基づいて、データを送信でき、該輻輳を解除できる。
＜本発明の第９のデータ転送方法の作用＞
本発明の第９のデータ転送方法によれば、第１の通信装置（１０）と第４の通信装置（４０）間が通信中に、第２の通信装置（２０）においてデータ転送に輻輳が発生する場合に、第２の通信装置（２０）は、第４の通信装置（４０）に、第３の回線（Ｃ）に対する第１から第３４のデータ転送システムのいずれかにて設定されたデータ送信条件（ｄＣ、ｔＣ）を送信できる。
【０１８２】
そして、第４の通信装置（４０）は、データ送信条件（ｄＣ、ｔＣ）に基づいて、データを送信でき、該輻輳を解除できる。
＜本発明の第１０のデータ転送方法の作用＞
本発明の第１０のデータ転送方法によれば、第２の通信装置（２０）は、第２の通信装置（２０）においてデータ転送に輻輳が発生していない場合でも、第１の通信装置（１０）に、第１から第３４のデータ転送システムのいずれかにて設定されたデータ送信条件（ｄＡ、ｔＡ）を送信でき、輻輳を発生させずに、なおかつ、高効率に回線を使用することが可能となる。
【０１８３】
＜本発明の第１１のデータ転送方法の作用＞
本発明の第１１のデータ転送方法によれば、第３の通信装置（３０）は、第３の通信装置（３０）においてデータ転送に輻輳が発生していない場合でも、第１の通信装置（１０）に、第１から第３４のデータ転送システムのいずれかにて設定されたデータ送信条件（ｄＡ、ｔＡ）を送信でき、輻輳を発生させずに、なおかつ、高効率に回線を使用することが可能となる。
【０１８４】
＜本発明の第１２のデータ転送方法の作用＞
本発明の第１２のデータ転送方法によれば、第３の通信装置（３０）は、第３の通信装置（３０）においてデータ転送に輻輳が発生していない場合でも、第４の通信装置（４０）に、第１から第３４のデータ転送システムのいずれかにて設定されたデータ送信条件（ｄＣ、ｔＣ）を送信でき、輻輳を発生させずに、なおかつ、高効率に回線を使用することが可能となる。
【０１８５】
＜本発明の第１３のデータ転送方法の作用＞
本発明の第１３のデータ転送方法によれば、第２の通信装置（２０）は、第２の通信装置（２０）においてデータ転送に輻輳が発生していない場合でも、第４の通信装置（４０）に、第１から第３４のデータ転送システムのいずれかにて設定されたデータ送信条件（ｄＣ、ｔＣ）を送信でき、輻輳を発生させずに、なおかつ、高効率に回線を使用することが可能となる。
【０１８６】
＜本発明の第１４のデータ転送方法の作用＞
本発明の第１４のデータ転送方法によれば、第２の通信装置（２０）は、第２の通信装置（２０）においてデータ転送に輻輳が発生していない場合でも、第１の通信装置（１０）に、第１から第３４のデータ転送システムのいずれかにて設定されたデータ送信条件（ｄＡ、ｔＡ）を送信でき、輻輳を発生させずに、なおかつ、高効率に回線を使用することが可能となる。
【０１８７】
＜本発明の第１５のデータ転送方法の作用＞
本発明の第１５のデータ転送方法によれば、第２の通信装置（２０）は、第２の通信装置（２０）においてデータ転送に輻輳が発生していない場合でも、第４の通信装置（４０）に、第１から第３４のデータ転送システムのいずれかにて設定されたデータ送信条件（ｄＣ、ｔＣ）を送信でき、輻輳を発生させずに、なおかつ、高効率に回線を使用することが可能となる。
【０１８８】
＜本発明の第１６のデータ転送方法の作用＞
本発明の第１６のデータ転送方法によれば、第５の通信装置（５０）は、第２の通信装置（２０）に、第２の中継回線（Ｂ２）  上りチャネルに対する第１から第３４のデータ転送システムのいずれかにて設定されたデータ送信条件（ｕｄＢ２、ｕｔＢ２）を送信できる。
【０１８９】
また、第１の通信装置（１０）に、第１の中継回線（Ｂ１）  上りチャネルに対する第１から第３４のデータ転送システムのいずれかにて設定されたデータ送信条件（ｕｄＢ１、ｕｔＢ１）を送信できる。
【０１９０】
そして、第３の通信装置（３０）に、第１の中継回線（Ｂ１）  下りチャネルに対する第１から第３４のデータ転送システムのいずれかにて設定されたデータ送信条件（ｄｄＢ１、ｄｔＢ１）を送信できる。
【０１９１】
さらに、第４の通信装置（４０）に、第２の中継回線（Ｂ２）  下りチャネルに対する第１から第３４のデータ転送システムのいずれかにて設定されたデータ送信条件（ｄｄＢ２、ｄｔＢ２）を送信でき、輻輳を発生させずに、なおかつ、高効率に回線を使用することが可能となる。
【０１９２】
【実施例】
以下、本発明の実施例１から実施例４を図面を参照して説明する。
【０１９３】
【実施例１】
＜実施例１の全体の接続関係＞
最初に実施例１について、その全体の接続関係から説明する。図２１には、実施例１の全体の接続関係が示されている。
【０１９４】
まず、第１の回線である回線Ａを介して端末１０及び端末１１を接続する交換装置２０が設けられている。この交換装置２０には、第２の回線である中継回線Ｂ（以下、回線Ｂという）を介して交換装置３０が接続されている。この交換装置３０は、第３の回線である受信側回線Ｃ（以下、回線Ｃという）を介して端末４０及び端末４１を接続する。
【０１９５】
ここで、交換装置２０及び交換装置３０は、ＡＴＭ交換装置であり、ユーザ情報及び呼接続処理のメッセージ等の制御情報をセル単位で扱っている。
そして、各端末と交換装置間の呼接続処理は、ＴＴＣ標準−ＪＴ−Ｑ９８１（ユーザ網インタフェースのレイヤ３プロトコル）に従って処理されている。
【０１９６】
また、交換装置２０と交換装置３０間の呼接続処理は、ＴＴＣ標準−ＪＴ−Ｑ９３１−ａ（ＰＢＸ間接続のレイヤ３プロトコル）に従って処理されている。
＜実施例１の処理構成＞
実施例１の処理構成を説明する。図２２には、実施例１の処理構成が示されている。
【０１９７】
〔端末１０〕
端末１０には、回線Ａに接続された送信部１５及び受信部１６が設けられている。回線Ａでは、端末１０から交換装置２０へ情報伝達される方向を上り方向、交換装置２０から端末１０へ情報伝達される方向を下り方向と呼ぶことにする。
【０１９８】
送信部１５及び受信部１６には、制御部１７が接続されている。この制御部１７には、図２３に示すように、データ送信条件受信部１１と、データ送信部１２が設けられている。
【０１９９】
データ送信条件受信部１１は、回線Ａの上りチャネルに対するデータ送信条件を受信する。
データ送信部１２は、データ送信条件受信部１１が受信したデータ送信条件と同じ条件か、それ以下の条件でデータを送信する。
【０２００】
〔交換装置２０〕
交換装置２０には、回線Ａに接続された送信部２５ａ及び受信部２６ａが設けられている。この送信部２５ａ及び受信部２６ａには、スイッチ２８が接続されている。このスイッチ２８には、送信部２５ｂ及び受信部２６ｂが接続されている。この送信部２５ｂ及び受信部２６ｂには、回線Ｂが接続されている。回線Ｂでは、交換装置２０から交換装置３０へ情報伝達される方向を上り方向、交換装置３０から交換装置２０へ情報伝達される方向を下り方向と呼ぶことにする。
【０２０１】
送信部２５ａ及び送信部２５ｂには、制御部２７が接続されている。この制御部２７には、図２４に示すように、実データ送信状態獲得部２が設けられている。この実データ送信状態獲得部２には、輻輳発生判断部３が接続されている。この輻輳発生判断部３には、データ送信条件割出部４が接続されている。このデータ送信条件割出部４には、データ送信条件送信部１が接続されている。
【０２０２】
実データ送信状態獲得部２は、第２の回線Ｂの上りチャネルの送信データを監視し、実際のデータ送信状態として、実データ長時間ｄｒ  及び実データ送信間隔時間ｔｒ  を獲得する。なお、この実データ送信状態獲得部２を、下記の（イ）から（ロ）のいずれかで代替してもよい。
（イ）第３の通信装置３０の実データ送信状態送信部２２から送信された実データ送信状態（ｕｄＢｒ、ｕｔＢｒ）を受信して、輻輳発生判断部３に出力する実データ送信状態出力部５。
（ロ）外部に設けられた管理システムが監視測定した第２の回線Ｂの上りチャネルにおける実際の受信状態（ｕｄＢｒ、ｕｔＢｒ）を入力して、輻輳発生判断部３に出力する実データ受信状態出力部５ａ。
（ハ）外部に設けられた管理システムより、第２の回線Ｂの上りチャネルに対する上限のデータ送信条件（ｕｄＢｍ、ｕｔＢｍ）を入力して、輻輳発生判断部３に出力する上限データ送信条件出力部７。
【０２０３】
輻輳発生判断部３は、回線Ｂの上りチャネルに設定された、あるいは前記（ハ）によって入手した上限データ長時間ｄｍ  及び上限データ送信間隔時間ｔｍ  と、前記実データ送信状態獲得部２が獲得した実データ長時間ｄｒ  及び実データ送信間隔時間ｔｒ  とを比較し、回線Ｂのチャネルに輻輳が発生しているか否かを判断する。
【０２０４】
なお、この輻輳発生判断部３を、外部に設けられた管理システムが一義的に決定した、「輻輳発生判断部３が出力する情報と同じ情報」を入力して、データ送信条件割出部４に出力する一義決定情報出力部６で代替してもよい。
データ送信条件割出部４は、輻輳発生判断部３の出力結果を基に、所定の割付基準を用いて、回線Ｂの上りチャネルに対してデータ転送に輻輳を発生させずに、なおかつ高効率のデータ転送をするための、回線Ａの上りチャネルに関するデータ送信条件を割り出す。
【０２０５】
なお、このデータ送信条件割出部４を、「任意の第１の回線Ａの上りチャネルに対するデータ送信条件（ｕｄＡ、ｕｔＡ）値を外部に設けられた管理システムから受信して、データ送信条件送信部１に送信する」第１回線データ送信条件割出部８（図１０参照）で代替してもよい。
【０２０６】
データ送信条件送信部１は、回線Ａの上りチャネルに対するデータ送信条件として、送信データのデータ長時間ｄＡ  及びデータ送信間隔時間ｔＡ  を、送信部２５ａを介して前記端末１０に送信する。
【０２０７】
〔交換装置３０〕
交換装置３０には、回線Ｂに接続された送信部３５ｂ及び受信部３６ｂが設けられている。この送信部３５ｂ及び受信部３６ｂには、スイッチ３８が接続されている。このスイッチ３８には、送信部３５ａ及び受信部３６ａが接続されている。この送信部３５ａ及び受信部３６ａには、回線Ｃが接続されている。回線Ｃでは、交換装置３０から端末４０へ情報伝達される方向を上り方向、端末４０から交換装置３０へ情報伝達される方向を下り方向と呼ぶことにする。
【０２０８】
送信部３５ａ及び送信部３５ｂには、制御部３７が接続されている。この制御部２７は、図２４に示すように、実データ送信状態獲得部２が設けられている。この実データ送信状態獲得部２には、輻輳発生判断部３が接続されている。この輻輳発生判断部３には、データ送信条件割出部４が接続されている。このデータ送信条件割出部４には、データ送信条件送信部１が接続されている。
【０２０９】
実データ送信状態獲得部２は、回線Ｂの下りチャネルの送信データを監視し、実際のデータ送信状態として、実データ長時間ｄｄｒ及び実データ送信間隔時間
ｄｔｒを獲得する。
【０２１０】
輻輳発生判断部３は、回線Ｂの下りチャネルに設定された、あるいは前記（ハ）によって入手した、上限データ長時間ｄｍ  及び上限データ送信間隔時間ｔｍ  と、前記実データ送信状態獲得部２が獲得した実データ長時間ｄｒ  及び実データ送信間隔時間ｔｒ  とを比較し、回線Ｂのチャネルに輻輳が発生しているか否かを判断する。
【０２１１】
データ送信条件割出部４は、輻輳発生判断部３の出力結果を基に、所定の割付基準を用いて、回線Ｂの上りチャネルに対してデータ転送に輻輳を発生させずに、なおかつ高効率のデータ転送をするための、回線Ｃの下りチャネルに関するデータ送信条件を割り出す。
【０２１２】
データ送信条件送信部１は、回線Ｃの下りチャネルに対するデータ送信条件として、送信データのデータ長時間ｄＣ  及びデータ送信間隔時間ｔＣ  を、送信部３５ａを介して前記端末４０に送信する。
【０２１３】
〔端末４０〕
端末４０には、回線Ｃに接続された送信部４５及び受信部４６が設けられている。回線Ｃでは、交換装置３０から端末４０へ情報伝達される方向を上り方向、端末４０から交換装置３０へ情報伝達される方向を下り方向と呼ぶことにする。
【０２１４】
送信部４５及び受信部４６には、制御部４７が接続されている。この制御部４７には、図２３に示すように、データ送信条件受信部１１と、データ送信部１２が設けられている。
【０２１５】
データ送信条件受信部１１は、回線Ｃの下りチャネルに対するデータ送信条件を受信する。
データ送信部１２は、データ送信条件受信部１１が受信したデータ送信条件と同じ条件か、それ以下の条件でデータを送信する。
【０２１６】
＜実施例１の処理フロー＞
実施例１の処理フローとして、以下の（イ）〜（ハ）の３つの処理フローを図面を参照して説明する。
（イ）端末１０発呼から端末４０応答における「データ送信条件」の処理フロー（図２７、図２８参照）
（ロ）端末１０の通信中における「データ送信条件」の更新処理フロー（図２９参照）
（ハ）端末１１と端末４１の通信が加わる場合の「データ送信条件」の処理フロー（図３０、図３１参照）
＜端末１０発呼から端末４０応答における「データ送信条件」の処理フロー＞
本処理は、端末１０が発呼し、端末４０との接続を要求し、交換装置２０及び交換装置３０が、その接続処理を行う例である。この過程において、端末１０及び端末４０への「データ送信条件」の割り出し処理と、データ送信条件の送受信処理を示す。
【０２１７】
ステップ１５０１において、端末１０は、通信相手である端末４０のアドレスを指定して、「呼設定メッセージ」を送出し発呼する。一方、交換装置２０は、「呼設定メッセージ」を受信し、この発呼を検出する。
【０２１８】
ここで、呼設定メッセージの送受信経路は、端末１０の制御部１７→送信部１５→回線Ａ上りチャネル→交換装置２０の受信部２６ａ→交換装置２０の制御部２７となる。
【０２１９】
ステップ１５０２において、交換装置２０は、アドレス分析を行って、回線Ｂ上りチャネルを用いる中継回線発信接続であることを識別する。
ステップ１５０３において、交換装置２０の制御部２７のデータ送信条件割出部４は、回線Ｂ上りチャネルに輻輳を発生させない「端末１０の回線Ａ上りチャネルに対するデータ送信条件（ｕｄＡ１、ｕｔＡ１）」値を求め、データ送信条件送信部１に出力する。
【０２２０】
ここで、データ送信条件割出部４は、回線Ｂ上りチャネルを利用する他のトラフィックが発生しておらず、回線Ｂの上りチャネルを端末１０のトラフィックで専有させることができると判断し、端末１０が回線Ａ上りチャネルに対するデータ送信条件（ｕｄＡ１、ｕｔＡ１）値を式（４）を満たすように設定する。
（ｕｄＡ１、ｕｔＡ１）＝（ｕｄＢｓ、ｕｔＢｓ）＝（ｕｄＢｍ、ｕｔＢｍ）        （４）
ステップ１５０４において、交換装置２０の制御部２７のデータ送信条件送信部１は、端末１０に返信される「呼設定受付メッセージ」内に、「データ送信条件（ｕｄＡ１、ｕｔＡ１）」を格納する。
【０２２１】
ステップ１５０５において、交換装置２０は、端末１０に発呼受付を知らせるため、「呼設定受付メッセージ」を返信する。これにより、「データ送信条件」は、端末１０の制御部１７に到達する。端末１０は、受信した「データ送信条件（ｕｄＡ１、ｕｔＡ１）」に従って、データ送信の準備を行う。
【０２２２】
ここで、呼設定受付メッセージの送受信経路は、交換装置２０の制御部２７→送信部２５ａ→回線Ａ下りチャネル→端末１０の受信部１６→端末１０の制御部１７となる。
【０２２３】
ステップ１５０６において、交換装置２０は、交換装置３０との間で中継回線発信接続を行う。また、交換装置２０は、アドレスを格納した「呼設定メッセージ」を交換装置３０に送信し、発呼する。
【０２２４】
ステップ１５０７において、交換装置３０は、「呼設定メッセージ」を受信し、アドレス分析を行って、端末４０への着信呼であることを識別する。また、交換装置３０は、「呼設定受付メッセージ」を交換装置２０に返信する。
【０２２５】
ステップ１５０８において、交換装置３０のデータ送信条件割出部４は、回線Ｂ下りチャネルに輻輳を発生させない「データ送信条件（ｄｄＣ４、ｄｔＣ４）」を求め、データ送信条件送信部１に出力する。
【０２２６】
ここで、データ送信条件割出部４は、回線Ｂ下りチャネルを利用する他のトラフィックが発生しておらず、回線Ｂ下りチャネルを端末４０のトラフィックを専有させることができる状態と判断し、端末４０が回線Ｃ下りチャネルに対するデータ送信条件（ｄｄＣ４、ｄｔＣ４）を式（５）を満たすように設定する。
（ｄｄＣ４、ｄｔＣ４）＝（ｄｄＢｓ、ｄｔＢｓ）＝（ｄｄＢｍ、ｄｔＢｍ）        （５）
ここで、（ｄｄＢｓ、ｄｔＢｓ）は、回線Ｂ下りチャネルに関する「安全側に余裕を持たせたデータ送信条件」値であり、（ｄｄＢｍ、ｄｔＢｍ）は、回線Ｂ下りチャネルの「上限のデータ送信条件」値である。
【０２２７】
ステップ１５０９において、交換装置３０の制御部３７のデータ送信条件送信部１は、端末４０に送信される「呼設定メッセージ」内に、「データ送信条件（ｄｄＣ４、ｄｔＣ４）」値を格納する。
【０２２８】
ステップ１５１０において、交換装置３０は、端末４０に「呼設定メッセージ」を送信し、呼出を行う。これにより、「データ送信条件」は、端末４０の制御手段４７に到達する。端末４０は、受信した「データ送信条件（ｄｄＣ４、ｄｔＣ４）」に従って、データ送信の準備を行う。
【０２２９】
ステップ１５１１において、端末４０は、前記呼出に応答すべく、「応答メッセージ」を交換装置３０に返信する。交換装置３０は、この「応答メッセージ」を受信することで端末４０の応答を識別する。
【０２３０】
ステップ１５１２において、交換装置３０は、交換装置２０に「応答メッセージ」を送信する。又、端末４０に接続している回線Ｃ上下チャネルと回線Ｂ上下チャネルの間に論理パスを設定する。
【０２３１】
ステップ１５１３において、交換装置２０は、前記応答メッセージを受信することで端末４０が応答したことを識別する。そして、端末１０に接続している回線Ａ上下チャネルと回線Ｂ上下チャネル間に論理パスを設定する。
【０２３２】
ステップ１５１４において、端末１０及び端末４０は、交換装置２０及び交換装置３０間における前記論理パスの設定により、データ送受信が可能となる。そして、端末１０は、「データ送信条件（ｕｄＡ１、ｕｔＡ１）」に従って、回線Ａ上りチャネルにデータを送信する。一方、端末４０は、「データ送信条件（ｄｄＣ４、ｄｔＣ４）」に従って、回線Ｃ下りチャネルにデータを送信する。
【０２３３】
＜端末１０の通信中における「データ送信条件」の更新処理フロー＞
端末１０のデータ通信中において、何らかの理由により回線Ｂの上りチャネルの回線使用率が「従来の半分」に低下する場合、交換装置２０は、端末１０から送信されるデータ量を抑制する必要がある。
【０２３４】
本処理は、このような場合に、「データ送信条件」値を更新して、端末１０に出力する例である。
なお、端末４０に関する「データ送信条件」の更新処理は、交換装置３０の制御部３７の実データ送信状態獲得部２、輻輳発生判断部３及びデータ送信条件割出部４を用いて、「回線Ｂ下りチャネル」、「回線Ｃ下りチャネル」のそれぞれについて、以下と同様の処理を行えば良い。
【０２３５】
更に、端末１０だけの更新処理に止めておけば、上りチャネルと下りチャネルの回線使用効率を違えて、端末１０と端末４０間のデータ通信が可能となる。
ステップ１７０１において、交換装置２０の制御部２７の実データ送信状態獲得部２は、回線Ｂ上りチャネル上を流れるビット列を、送信部２５ｂを介して監視する。そして、下記の「実際のデータ送信状態（ｕｄＢｒ、ｕｔＢｒ）」を検出し、輻輳発生判断部３に送信条件値を出力する。
【０２３６】
１）Ｎ番目のデータ長時間                  ：ｕｄＢｒ
２）Ｎ番目とＮ＋１番目のデータ発生間隔時間：ｕｔＢｒ
ステップ１７０２において、交換装置２０の制御部２７の輻輳発生判断部３は、回線Ｂの上りチャネルに関する「実際のデータ送信状態（ｕｄＢｒ、ｕｔＢｒ）」を、下記のステップ１〜６からなる処理フローにて比較する。
〔ステップ１〕
式（１）を計算する。
【０２３７】
ｕｄＢｍ−ｕｄＢｒ＝Ｘ                                              （１）
〔ステップ２〕
式（１）で、Ｘが０または輻輳発生直前までの余裕値である＋ｊの場合には、式（２）を計算する。
【０２３８】
（ｕｄＢｍ＋ｕｔＢｍ）−（ｕｄＢｒ＋ｕｔＢｒ）＝Ｚ                        （２）
〔ステップ３〕
式（２）で、Ｚが０または輻輳発生直前までの余裕値である＋ｐの場合には輻輳に移行しない。
〔ステップ４〕
式（１）で、Ｘが−ｋの場合には、式（３）を計算する。
【０２３９】
（ｕｄＢｍ＋ｕｔＢｍ）−（ｕｄＢｒ＋ｕｔＢｒ）＝Ｙ                        （３）
〔ステップ５〕
式（３）で、Ｙが０または輻輳発生直前までの余裕値である＋ｍの場合には輻輳に移行しない。
〔ステップ６〕
式（３）でＹが−ｎの場合、又は式（２）でＺが−ｑの場合には、輻輳に移行する。
【０２４０】
そして、「輻輳する／しない」を判断し、差分値（Ｘ、Ｙ、Ｚ）を得て、データ送信条件割出部４に出力する。
ここまでの、処理結果は、下記の１）から３）のようになる。
【０２４１】
１）（ｕｄＡ１、ｕｔＡ１）＝（ｕｄＢｍ、ｕｔＢｍ）と設定し、この値を端末１０に送信した。
２）端末１０は、この値に従ってデータを回線Ａ上りチャネルに送信し、交換装置２０は、このデータを回線Ｂ上りチャネルに中継しているため、（ｕｄＡ１、ｕｔＡ１）＝（ｕｄＢｒ、ｕｔＢｒ）＝（ｕｄＢｍ、ｕｔＢｍ）の関係になっている。
【０２４２】
３）従って、輻輳発生判断部３の処理フローの結果、輻輳は発生せず、Ｘ、          Ｙ、Ｚの各差分値は以下のようになる。
Ｘ＝ｕｄＢｍ−ｕｄＡ１
Ｘ＝０・・・・・・このため、Ｙは存在しない。
【０２４３】
Ｚ＝（ｕｄＢｍ＋ｕｔＢｍ）−（ｕｄＢｒ＋ｕｔＢｒ）
Ｚ＝０
ステップ１７０３において、交換装置２０の制御部２７のデータ送信条件割出部４は、回線Ｂ上りチャネルの回線使用効率を「従来の半分」にするため、以下の更新処理を行って、回線Ｂ上りチャネルの回線使用効率を従来の半分にできる「回線Ａ上りチャネルに対するデータ送信条件（ｕｄＡ１−Ｅ２、ｕｔＡ１−Ｅ２）」値（更新値）を、データ送信条件送信部１に出力する。
【０２４４】
１）輻輳発生判断部３の処理結果から、現時点での処理過程における「データ送信条件」の各値は、以下のようになる。
（ｄｄＢｒ、ｄｔＢｒ）＝（ｄｄＢｍ、ｄｔＢｍ）＝（ｕｄＡ１、ｕｔＡ１）
２）送信データのデータ長時間（ｄ）を固定とした場合、回線Ｂ上りチャネルの回線使用効率を低下させるには、データ送信時間間隔（ｔ）を長くすればよい。データ長時間（ｄ）とデータ送信時間間隔（ｔ）との関係を示す図２５により、式（６）、式（７）が成立する。
【０２４５】
ｕｄＡ１−Ｅ２＝ｕｄＡ１                                          （６）
ｕｔＡ１−Ｅ２＝ｕｔＡ１＋ｕｄＡ１＋ｕｔＡ１                            （７）
ステップ１７０４において、交換装置２０の制御部２７のデータ送信条件送信部１は、更新後に回線Ａ上りチャネルに対する「データ送信条件（ｕｄＡ１−Ｅ２、ｕｔＡ１−Ｅ２）」を「呼設定メッセージ」の中に格納し、端末１０に送信することで、端末１０に「データ送信条件」の更新を指示する。
【０２４６】
ステップ１７０５において、端末１０は、回線Ａ上りチャネルに対して更新後の「データ送信条件（ｕｄＡ１−Ｅ２、ｕｔＡ１−Ｅ２）」値に従って、データを送信する。
＜端末１１と端末４１の通信が加わる場合の「データ送信条件」の処理フロ  ー＞
端末１１が発呼し、交換装置２０及び交換装置３０における接続処理の結果、端末１１と端末４１のデータ通信が可能になる場合、回線Ｂ上下チャネルは、「端末１０と端末４０間の送受信データ」と「端末１１と端末４１間の送受信データ」を多重して運ぶことになる。
【０２４７】
図２６は、本処理フローの接続概要図である。
交換装置２０は、端末１０の回線Ａ上りチャネルからの送信データと端末１１からの回線Ａ上りチャネルからの送信データを、回線Ｂ上りチャネル上で輻輳が発生しないように転送する。そのために、交換装置２０は、端末１０からの送信データ量を抑制し、端末１１からの送信データと端末１０からの送信データを回線Ｂ上りチャネルにおいて多重可能としている。
【０２４８】
一方、交換装置３０は、端末４０の回線Ｃ下りチャネルからの送信データと端末４１からの回線Ｃ下りチャネルからの送信データを、回線Ｂ下りチャネル上で輻輳が発生しないように転送する。そのために、交換装置３０は、端末４０からの送信データ量を抑制し、端末４１からの送信データと端末４０からの送信データを回線Ｂ下りチャネルにおいて多重可能としている。
【０２４９】
なお、端末１０と端末４０及び端末１１と端末４１間の送受信データ量は、単位時間あたり、均等に転送するものとする。
＜端末１１からの発呼＞
端末１１からの発呼の動作フローを説明する。
【０２５０】
ステップ１８０１において、端末１１は、通信相手である端末４１のアドレスを指定して「呼設定メッセージ」を送出し発呼する。交換装置２０は、「呼設定メッセージ」を受信し、前記発呼を検出する。
【０２５１】
ステップ１８０２において、交換装置２０は、アドレス分析を行って、回線Ｂ上りチャネルを用いる中継回線発信接続であることを識別する。
ステップ１８０３において、交換装置２０の制御部２７のデータ送信条件割出部４は、下記の１）から３）の処理を行って、回線Ｂ上りチャネルに輻輳を発生させない「端末１０が回線Ａ上りチャネルに対するデータ送信条件（ｕｄＡ１−Ｅ２、ｕｔＡ１−Ｅ２）」値と「端末１１が回線Ａ上りチャネルに対するデータ送信条件（ｕｄＡ２１、ｕｔＡ２１）」値を求め、データ送信条件送信部１に出力する。
【０２５２】
１）データ送信条件割出部４は、回線Ｂ上りチャネルが既に端末１０の送信データで占有されていることを識別する。また、回線Ｂの上りチャネルを、端末１０と端末１１の送信データで均等に使用するように判断する。
【０２５３】
２）データ送信条件割出部４は、端末１０が回線Ａ上りチャネルに設定した「データ送信条件（ｕｄＡ１−Ｅ２、ｕｔＡ１−Ｅ２）」に基づいて、回線使用効率を従来の半分にする値を式（８）、式（９）から求める。
【０２５４】
ｕｄＡ１−Ｅ２＝ｕｄＡ１                                          （８）
ｕｔＡ１−Ｅ２＝ｕｔＡ１＋ｕｄＡ１＋ｕｔＡ１                            （９）
３）データ送信条件割出部４は、端末１１が回線Ａ上りチャネルに設定した「データ送信条件（ｕｄＡ２１、ｕｔＡ２１）」に基づいて、回線使用効率を従来の半分にする値を式（１０）、式（１１）から求める。
【０２５５】
ｕｄＡ２１＝ｕｄＡ１                                          （１０）
ｕｔＡ２１＝ｕｔＡ１＋ｕｄＡ１＋ｕｔＡ１                            （１１）
ステップ１８０４において、交換装置２０の制御部２７のデータ送信条件送信部１は、更新後に端末１０が回線Ａ上りチャネルに対する「データ送信条件（ｕｄＡ１−Ｅ２、ｕｔＡ１−Ｅ２）」値を「呼設定メッセージ」の中に格納し、端末１０に送信することで、端末１０に「データ送信条件」の更新を指示する。
【０２５６】
更に、端末１１に返信される「呼設定受付メッセージ」内に、「データ送信条件（ｕｄＡ２１、ｕｔＡ２１）」を格納する。
ステップ１８０５において、交換装置２０は、端末１１に発呼受付を知らせるため、「呼設定受付メッセージ」を返信する。このことにより、「データ送信条件」は、端末１１の制御手段（図示せず）に入力される。また、端末１１は、受信した「データ送信条件（ｕｄＡ２１、ｕｔＡ２１）」に従って、データ送信の準備をする。
【０２５７】
ステップ１８０６において、端末１０は、先に受信した更新後に回線Ａ上りチャネルに対する「データ送信条件（ｕｄＡ１−Ｅ２、ｕｔＡ１−Ｅ２）」値に従って、回線Ａ上りチャネルにデータを送信する。
【０２５８】
＜端末４１の呼び出し＞
端末４１の呼び出しの動作フローを説明する。
ステップ１８０７において、交換装置２０は、交換装置３０との間で端末１１発呼の中継回線発信接続を行う。また、交換装置２０は、アドレスを格納した「呼設定メッセージ」を交換装置３０に送信し、発呼する。
【０２５９】
ステップ１８０８において、交換装置３０は、「呼設定メッセージ」を受信し、アドレス分析を行って、端末４１への着信呼であることを識別する。また、交換装置３０は、「呼設定受付メッセージ」を交換装置２０に出力する。
【０２６０】
ステップ１８０９において、交換装置３０の制御部３７のデータ送信条件割出部４は、以下の１）から３）の処理を行って、回線Ｂ下りチャネルに輻輳を発生させない「端末４０が回線Ｃ下りチャネルに対するデータ送信条件（ｄｄＣ４−Ｅ２、ｄｔＣ４−Ｅ２）」値と「端末４１が回線Ｃ下りチャネルに対するデータ送信条件（ｄｄＣ２４、ｄｔＣ２４）」値を求め、データ送信条件送信部１に出力する。
【０２６１】
１）データ送信条件割出部４は、回線Ｂ下りチャネルが既に端末４０の送信データで占有されていることを識別する。また、回線Ｂの下りチャネルを、端末４０と端末４１の送信データで均等に使用するように判断する。
【０２６２】
２）データ送信条件割出部４は、端末４０が回線Ｃ下りチャネルに設定した「データ送信条件（ｄｄＣ４−Ｅ２、ｄｔＣ４−Ｅ２）」に基づいて、回線使用効率を従来の半分にする値を式（１２）、式（１３）から求める。
【０２６３】
ｕｄＣ４−Ｅ２＝ｄｄＡ１                                        （１２）
ｕｔＣ４−Ｅ２＝ｄｔＡ１＋ｕｄＡ１＋ｕｔＡ１                          （１３）
３）データ送信条件割出部４は、端末４１が回線Ｃ下りチャネルに設定した「データ送信条件（ｄｄＣ２４、ｄｔＣ２４）」に基づいて、回線使用効率を従来の半分にする値を式（１４）、式（１５）から求める。
【０２６４】
ｄｄＣ２４＝ｕｄＡ１                                          （１４）
ｄｔＣ２４＝ｕｔＡ１＋ｕｄＡ１＋ｕｔＡ１                            （１５）
ステップ１８１０において、交換装置３０の制御部３７のデータ送信条件送信部１は、更新後に端末４０が回線Ｃ下りチャネルに対する「データ送信条件（ｄｄＣ４−Ｅ２、ｄｔＣ４−Ｅ２）」値を「呼設定メッセージ」の中に格納し、端末４０に送信することで、端末４０に「データ送信条件」の更新を指示する。
【０２６５】
更に、呼出のための端末４１に送信される「呼設定受付メッセージ」内に、「データ送信条件（ｄｄＣ２４、ｄｔＣ２４）」を格納する。
ステップ１８１１において、端末４０は、先に受信した更新後に回線Ｃ下りチャネルに対する「データ送信条件（ｄｄＣ４−Ｅ２、ｄｔＣ４−Ｅ２）」値に従って、回線Ｃの下りチャネルにデータを送信する。
【０２６６】
ステップ１８１２において、交換装置３０は、端末４１に呼出を行うため、「呼設定メッセージ」を送信する。このことにより、「データ送信条件（ｄｄＣ２４、ｄｔＣ２４）」は、端末４１の制御手段（図示せず）に出力される。
【０２６７】
ステップ１８１３において、端末４１は、呼出に応答すべく、「応答メッセージ」を交換装置３０に返信する。また、交換装置３０は、「応答メッセージ」を受信し、端末４１の応答を識別する。
【０２６８】
ステップ１８１４において、交換装置３０は、交換装置２０に「応答メッセージ」を送信する。また、交換装置３０は、端末４１に接続している回線Ｃ上下チャネルと回線Ｂ上下チャネルの間に論理パスを設定する。
【０２６９】
ステップ１８１５において、交換装置２０は、「応答メッセージ」を受信することで端末４１が応答したことを識別し、端末１１に接続している回線Ａ上下チャネルの間に論理パスを設定する。
【０２７０】
ステップ１８１６において、端末１１と端末４１は、交換装置２０及び交換装置３０に論理パスを設定することにより、データ送受信が可能となる。そして、端末１０は、回線Ａ上りチャネルへ更新後の「データ送信条件（ｕｄＡ１−Ｅ２、ｕｔＡ１−Ｅ２）」に従って、データを送信する。一方、端末４０は、回線Ｃ下りチャネルへ更新後の「データ送信条件（ｄｄＣ４−Ｅ２、ｄｔＣ４−Ｅ２）」に従って、データを送信する。
【０２７１】
更に、端末１１は、「データ送信条件（ｕｄＡ２１、ｕｔＡ２１）」に従って回線Ａ上りチャネルにデータを送信する。一方、端末４１は、「データ送信条件（ｄｄＣ２４、ｄｔＣ２４）」に従って回線Ｃ下りチャネルにデータを送信する。
【０２７２】
＜実施例１の効果＞
以上の処理を行うことにより、回線Ｂの上りチャネルに輻輳を発生させず、端末１０と端末４０間、及び端末１１と端末４１間において、最高のチャネル利用率でデータ転送を行うことができる。
【０２７３】
【実施例２】
＜実施例２の全体の接続関係＞
次に、実施例２について、その全体の接続関係から説明する。図３２には、実施例２の全体の接続関係が示されている。
【０２７４】
図３２から明らかなように、実施例２は、交換装置３０がない（従って、回線Ｂがない）ことと、端末１１及び端末４１が交換装置２０に接続されていることを除いて、実施例１と同様に構成されている。そこで、以下相違する部分についてのみ説明することとし、同一態様部分には同一符号を付して説明を省略する。
【０２７５】
＜実施例２の処理構成＞
実施例２の処理構成を説明する。図３３には、実施例２の処理構成が示されている。
【０２７６】
〔交換装置２０〕
交換装置２０には、回線Ａに接続された送信部２５ａ及び受信部２６ａが設けられている。この送信部２５ａ及び受信部２６ａには、スイッチ２８が接続されている。このスイッチ２８には、送信部２５ｂ及び受信部２６ｂが接続されている。この送信部２５ｂ及び受信部２６ｂには、回線Ｃが接続されている。
【０２７７】
回線Ａでは、端末１０から交換装置２０へ情報伝達される方向を上り方向、交換装置２０から端末１０へ情報伝達される方向を下り方向と呼ぶことにする。一方、回線Ｃでは、交換装置２０から端末４０へ情報伝達される方向を上り方向、端末４０から交換装置２０へ情報伝達される方向を下り方向と呼ぶことにする。
【０２７８】
送信部２５ａ、２５ｂ及び受信部２６ａ、２６ｂには、制御部２７が接続されている。この制御部２７には、図２４に示すように、実データ送信状態獲得部２が設けられている。この実データ送信状態獲得部２には、輻輳発生判断部３が接続されている。この輻輳発生判断部３には、データ送信条件割出部４が接続されている。このデータ送信条件割出部４には、データ送信条件送信部１が接続されている。
【０２７９】
実データ送信状態獲得部２は、回線Ｃの下りチャネルの送信データを監視し、実際のデータ送信状態として、実データ長時間ｄｒ  及び実データ送信間隔時間ｔｒ  を獲得する。
【０２８０】
輻輳発生判断部３は、回線Ｃの上りチャネルに対してデータ転送に輻輳を発生させずに、なおかつ高効率のデータ送信条件として、上限データ長時間ｄｍ  及び上限データ送信間隔時間ｔｍ  と、前記実データ送信状態獲得部２が獲得した回線Ｃの上りチャネルの実データ長時間ｄｒ  及び実データ送信間隔時間ｔｒ  とを比較し、回線Ｃの下りチャネルに輻輳が発生しているか否かを判断する。
【０２８１】
データ送信条件割出部４は、輻輳発生判断部３の出力結果を基に、所定の割付基準を用いて、回線Ｃの上りチャネルに対してデータ転送に輻輳を発生させずに、なおかつ高効率のデータ転送をするための、回線Ａの上りチャネルに対するデータ送信条件を割り出す。
【０２８２】
データ送信条件送信部１は、回線Ａの上りチャネルに対するデータ送信条件として、送信データのデータ長時間ｄ及びデータ送信間隔時間ｔを、前記端末１０に送信する。
【０２８３】
＜実施例２の処理フロー＞
実施例２の処理フローは、実施例１の処理フローと同様であるので説明を省略する。
【０２８４】
【実施例３】
＜実施例３の全体の接続関係＞
次に、実施例３について、その全体の接続関係から説明する。図３４には、実施例３の全体の接続関係が示されている。
【０２８５】
図３４から明らかなように、実施例３は、実施例１の交換装置２０がＡＴＭ通信装置２０として置換されていること、また、実施例１の交換装置３０がＡＴＭ通信装置３０として置換されていることを除いて、実施例１と同様に構成されている。そこで、以下相違する部分についてのみ説明することとし、同一態様部分には同一符号を付して説明を省略する。
【０２８６】
なお、ＡＴＭ通信装置２０及びＡＴＭ通信装置３０は、呼接続処理を持たない装置で、端末間に一つあるいは複数のＰＶＣ（Ｐｅｒｍａｎｅｎｔ  Ｖｉｒｔｕａｌ  Ｃｈａｎｎｅｌ；固定仮想論理パス）を予め設定し、端末間通信を可能としている。
【０２８７】
＜実施例３の処理フロー＞
実施例３の処理フローを図３５を参照して説明する。
ステップ２３０１において、ＡＴＭ通信装置２０のスイッチ２８及びＡＴＭ通信装置３０のスイッチ３８は、下記の１）から６）のＰＶＣを設定する。設定方法としては、公地の技術が利用される。
【０２８８】
１）端末１０とＡＴＭ通信装置２０の上りチャネル
２）端末１０とＡＴＭ通信装置２０の下りチャネル
３）ＡＴＭ通信装置２０とＡＴＭ通信装置３０の上りチャネル
４）ＡＴＭ通信装置２０とＡＴＭ通信装置３０の下りチャネル
５）端末４０とＡＴＭ通信装置３０の上りチャネル
６）端末４０とＡＴＭ通信装置３０の下りチャネル
ステップ２３０２において、ＡＴＭ通信装置２０は、発呼処理が存在しないため、制御部２７の実データ送信状態獲得部２により、回線Ｂ上りチャネルにおけるデータビット列を監視する。そして、回線Ｂ上りチャネルの「実際のデータ送信状態（ｕｄＢｒ、ｕｔＢｒ）を取り出し、輻輳発生判断部３に出力する。
【０２８９】
一方、ＡＴＭ通信装置３０は、制御部３７の実データ送信状態獲得部２により、回線Ｂ下りチャネルにおけるデータビット列を監視する。そして、回線Ｂ下りチャネルの「実際のデータ送信状態（ｄｄＢｒ、ｄｔＢｒ）を取り出し、輻輳発生判断部３に出力する。
【０２９０】
ステップ２３０３において、ＡＴＭ通信装置２０の制御部２７の輻輳発生判断部３は、回線Ｂ上りチャネルが輻輳するか否かを判断するとともに、回線Ｂ上りチャネルのデータ送信条件と上限のデータ送信条件との差分値を求めて、データ送信条件割出部４に出力する。また、ＡＴＭ通信装置３０の制御部３７の輻輳発生判断部３は、回線Ｂ下りチャネルが輻輳するか否かを判断するとともに、回線Ｂ下りチャネルのデータ送信条件と上限のデータ送信条件との差分値を求めて、データ送信条件割出部４に出力する。
【０２９１】
ステップ２３０４において、ＡＴＭ通信装置２０の制御部２７のデータ送信条件割出部４は、端末１０の回線Ａ上りチャネルに対するデータ送信条件を割り出し、端末１０にこのデータ送信条件を出力する。
【０２９２】
一方、ＡＴＭ通信装置３０の制御部３７のデータ送信条件割出部４は、端末４０の回線Ｃ下りチャネルに対するデータ送信条件を割り出し、端末４０にこのデータ送信条件を出力する。
【０２９３】
【実施例４】
次に、実施例４について、その全体の接続関係から説明する。図３６には、実施例４の全体の接続関係が示されている。
【０２９４】
図３６から明らかなように、実施例４は、ＡＴＭ通信装置２０とＡＴＭ通信装置３０の間に、中継装置としてのＡＴＭ通信装置５０が設けられていることを除いて、実施例３と同様に構成されている。そこで、以下相違する部分（ＡＴＭ通信装置５０）についてのみ説明することとし、同一態様部分には同一符号を付して説明を省略する。
【０２９５】
ＡＴＭ通信装置５０は、回線Ｂ１  を介してＡＴＭ通信装置２０に接続されるとともに、回線Ｂ２  を介してＡＴＭ通信装置３０に接続されている。回線Ｂ１  及び回線Ｂ２  は、どちらも中継回線である。回線Ｂ１  では、ＡＴＭ通信装置２０からＡＴＭ通信装置５０へ情報伝達される方向を上り方向、ＡＴＭ通信装置５０からＡＴＭ通信装置２０へ情報伝達される方向を下り方向と呼ぶことにする。一方、回線Ｂ２  では、ＡＴＭ通信装置５０からＡＴＭ通信装置３０へ情報伝達される方向を上り方向、ＡＴＭ通信装置３０からＡＴＭ通信装置５０へ情報伝達される方向を下り方向と呼ぶことにする。
【０２９６】
＜実施例４の処理フロー＞
実施例４の処理フローを図３７を参照して説明する。
ステップ２５０１において、ＡＴＭ通信装置５０は、回線Ｂ２  上りチャネルにおけるビット列を監視する。そして、回線Ｂ２  上りチャネルの実際のデータ送信条件（ｕｄＢ２ｒ、ｕｔＢ２ｒ）を取り出し、図示していない制御部に設けられている輻輳発生判断部３（これは、実施例１の交換装置２０の輻輳発生判断部３と同様に構成されている）に出力する。
【０２９７】
また、ＡＴＭ通信装置５０は、回線Ｂ１  下りチャネルにおけるデータ列を監視する。そして、回線Ｂ１  下りチャネルの実際のデータ送信条件（ｕｄＢ１ｒ、ｕｔＢ１ｒ）を取り出し、輻輳発生判断部３に出力する。
【０２９８】
ステップ２５０２において、輻輳発生判断部３は、回線Ｂ２  上りチャネルが輻輳するか否かを判断するとともに、回線Ｂ２  上りチャネルに対するデータ送信条件と上限のデータ送信条件との差分値を求めて、データ送信条件割出部４に出力する。更に、輻輳発生判断部３は、回線Ｂ１  下りチャネルに対しても輻輳するか否かを判断するとともに、回線Ｂ１  下りチャネルに対するデータ送信条件と上限のデータ送信条件との差分値を求めて、データ送信条件割出部４に出力する。
【０２９９】
ステップ２５０３において、データ送信条件割出部４は、回線Ｂ１  上りチャネルに対するデータ送信条件を割り出す。割り出されたデータ送信条件は、データ送信条件送信部１によりＡＴＭ通信装置２０に送信される。ＡＴＭ通信装置２０は、送信されてきたデータ送信条件を基に、回線Ａ上りチャネルに対するデータ送信条件を割り出し、端末１０及び端末１１に送信する。
【０３００】
また、データ送信条件割出部４は、Ｂ２  回線下りチャネルに対するデータ送信条件を割り出す。そして、割り出されたデータ送信条件は、データ送信条件送信部１によりＡＴＭ通信装置３０に送信される。ＡＴＭ通信装置３０は、送信されてきたデータ送信条件を基に、回線Ｃ下りチャネルに対するデータ送信条件を割り出し、端末４０及び端末４１に送信する。
【０３０１】
【発明の効果】
本発明の第１から第３並びに第１０から第１６のデータ転送方法、及び第１から第３８のデータ転送システムによると、データを受信する側からデータを送信する側に予めデータ送信量を定量的に指定できる「データ送信条件」を送信してからデータを転送するようにしたため、輻輳を発生させずに、なおかつ高効率に回線を使用することができるデータ転送方法及びデータ転送システムを得ることができる。
【０３０２】
また、本発明の第４から第９のデータ転送方法、及び第１から第３８のデータ転送システムによると、輻輳が発生しても、輻輳を発生するための具体的条件であるデータ送信条件が、データを送信する側からデータを受信する側に送信されるため、かかる輻輳を定量的に解除することができるデータ転送方法及びデータ転送システムを得ることができる。
更に、本発明の第４から第９のデータ転送方法、及び第１から第３８のデータ転送システムを利用してネットワークを構築すると、いつ発生するかも知れない異常トラフィックに対する輻輳回避の為の処置、設備（例えば、迂回回線等）を設ける必要が無くなるという効果が派生的に生じる。
【０３０３】
そして、本発明の第１から第１６のデータ転送方法、及び第１から第３８のデータ転送システムによると、通信装置等に設けられている「端末回線用データ受信バッファメモリ」や「中継用受信／送信バッファメモリ」が不要となるという効果が生じる。このことにより、光信号でデータ転送を行う光通信装置において光信号を蓄えるバッファ機能が最小限ですむようになるため、本発明は、特に、光通信装置に対して大きな貢献が期待できるようになる。
【図面の簡単な説明】
【図１】本発明のデータ転送システムの第１原理図である。
【図２】本発明のデータ転送システムの第２原理図である。
【図３】本発明のデータ転送システムの第３原理図である。
【図４】本発明のデータ転送システムの第４原理図である。
【図５】本発明のデータ転送システムの第５原理図である。
【図６】本発明のデータ転送システムの第６原理図である。
【図７】本発明のデータ転送システムの第７原理図である。
【図８】本発明のデータ転送システムの第８原理図である。
【図９】本発明のデータ転送システムの第９原理図である。
【図１０】本発明のデータ転送システムの第１０原理図である。
【図１１】本発明のデータ転送システムの原理接続図である。
【図１２】本発明のデータ転送方法の第１原理図である。
【図１３】本発明のデータ転送方法の第２原理図である。
【図１４】本発明のデータ転送方法の第３原理図である。
【図１５】本発明のデータ転送方法の第４原理図である。
【図１６】本発明のデータ転送方法の第５原理図である。
【図１７】本発明のデータ転送方法の第６原理図である。
【図１８】本発明のデータ転送方法の第７原理図である。
【図１９】本発明のデータ転送方法の第８原理図である。
【図２０】回線上のデータの転送状態を示す図である。
【図２１】本発明の実施例１の全体の接続図である。
【図２２】本発明の実施例１の処理構成図である。
【図２３】本発明の実施例における端末の制御部の構成図である。
【図２４】本発明の実施例における交換装置及びＡＴＭ通信装置の制御部の構成図である。
【図２５】本発明の実施例１において、データ長時間とデータ送信間隔時間との関係を説明する図である。
【図２６】本発明の実施例１において、端末１１と端末４１の通信が加わった場合の「データ送信条件」の処理フローを説明するための接続概要図である。
【図２７】本発明の実施例１において、端末１０発呼から端末４０応答における「データ送信条件」の処理フローチャート図（その１）である。
【図２８】本発明の実施例１において、端末１０発呼から端末４０応答における「データ送信条件」の処理フローチャート図（その２）である。
【図２９】本発明の実施例１において、端末１０の通信中における「データ送信条件」の処理フローチャート図である。
【図３０】本発明の実施例１において、端末１１と端末４１の通信が加わる場合の「データ送信条件」の処理フローチャート図（その１）である。
【図３１】本発明の実施例１において、端末１１と端末４１の通信が加わる場合の「データ送信条件」の処理フローチャート図（その２）である。
【図３２】本発明の実施例２の全体の接続図である。
【図３３】本発明の実施例２の処理構成図である。
【図３４】本発明の実施例３の全体の接続図である。
【図３５】本発明の実施例３の処理フローチャート図である。
【図３６】本発明の実施例４の全体の接続図である。
【図３７】本発明の実施例４の処理フローチャート図である。
【図３８】従来のデータ転送方式の概念図である。
【符号の説明】
（ｄｍ、ｔｍ）・・・・データ送信条件
（ｄＡ、ｔＡ）・・・・第１の回線に対するデータ送信条件
（ｄＣ、ｔＣ）・・・・第３の回線に対するデータ送信条件
（ｕｄＡ、ｕｔＡ）・・・第１の回線の上りチャネルに対するデータ送信条件
（ｕｄＢｍ、ｕｔＢｍ）・・第２の回線の上りチャネルに対する上限のデータ送信条件
（ｕｄＢｒ、ｕｔＢｒ）・・第２の回線の上りチャネルに対する実際のデータ送信条件
ｄ・・・・・・データ送信条件のデータ長時間
ｄＡ  ・・・・・第１の回線に対するデータ送信条件のデータ長時間
ｄＢ  ・・・・・第２の回線に対するデータ送信条件のデータ長時間
ｄＣ  ・・・・・第３の回線に対するデータ送信条件のデータ長時間
ｔ・・・・・・データ送信間隔時間
ｔＡ  ・・・・・第１の回線に対するデータ送信条件のデータ送信間隔時間
ｔＢ  ・・・・・第２の回線に対するデータ送信条件のデータ送信間隔時間
ｔＣ  ・・・・・第３の回線に対するデータ送信条件のデータ送信間隔時間
Ａ・・・・・・第１の回線
Ｂ・・・・・・第２の回線
Ｂ１  ・・・・・第１の中継回線
Ｂ２  ・・・・・第２の中継回線
Ｃ・・・・・・第３の回線
１・・・・・・データ送信条件送信部
２・・・・・・実データ送信状態獲得部
３・・・・・・輻輳発生判断部
４・・・・・・データ送信条件割出部
５・・・・・・実データ送信状態出力部
５ａ・・・・・実データ受信状態出力部
６・・・・・・一義決定情報出力部
７・・・・・・上限データ送信条件出力部
８・・・・・・第１回線データ送信条件割出部
１０・・・・・第１の通信装置
１１・・・・・データ送信条件受信部
１２・・・・・データ送信部
２０・・・・・第２の通信装置
２１・・・・・実データ送信状態獲得部
２２・・・・・実データ送信状態送信部
３０・・・・・第３の通信装置
４０・・・・・第４の通信装置
５０・・・・・第５の通信装置
【図１】
0003560370.tif 000002
【図２】
0003560370.tif 000003
【図３】
0003560370.tif 000004
【図４】
0003560370.tif 000005
【図５】
0003560370.tif 000006
【図６】
0003560370.tif 000007
【図７】
0003560370.tif 000008
【図８】
0003560370.tif 000009
【図９】
0003560370.tif 000010
【図１０】
0003560370.tif 000011
【図１１】
0003560370.tif 000012
【図１２】
0003560370.tif 000013
【図１３】
0003560370.tif 000014
【図１４】
0003560370.tif 000015
【図１５】
0003560370.tif 000016
【図１６】
0003560370.tif 000017
【図１７】
0003560370.tif 000018
【図１８】
0003560370.tif 000019
【図１９】
0003560370.tif 000020
【図２０】
0003560370.tif 000021
【図２１】
0003560370.tif 000022
【図２２】
0003560370.tif 000023
【図２３】
0003560370.tif 000024
【図２４】
0003560370.tif 000025
【図２５】
0003560370.tif 000026
【図２６】
0003560370.tif 000027
【図２７】
0003560370.tif 000028
【図２８】
0003560370.tif 000029
【図２９】
0003560370.tif 000030
【図３０】
0003560370.tif 000031
【図３１】
0003560370.tif 000032
【図３２】
0003560370.tif 000033
【図３３】
0003560370.tif 000034
【図３４】
0003560370.tif 000035
【図３５】
0003560370.tif 000036
【図３６】
0003560370.tif 000037
【図３７】
0003560370.tif 000038
【図３８】
0003560370.tif 000039